(57)【要約】本明細書では、エンチノスタットと第２の治療剤とを含む併用療法による処置についてがん患者を選択する方法について記載する。特に、エンチノスタット併用療法による療法において、治療指標として、非がん細胞型の骨髄由来のサプレッサー細胞、例えば、ＣＤ１４陽性かつＨＬＡ−ＤＲ−（ｌｏ／陰性）細胞を検査する方法が提供される。第２の治療剤は、抗ＰＤ−１抗体、例えば、ニボルマブおよびペンブロリズマブ；抗ＰＤ−Ｌ１抗体、例えばＭＰＤＬ３２８０Ａ；ならびにエキセメスタンであり得る。
2018527570.tif 000002
【特許請求の範囲】
【請求項１】
エンチノスタットと第２の治療剤とを含む併用療法について患者を選択する方法であって、
がんと診断された前記患者から末梢血液試料を取得することと、
前記末梢血液試料中の骨髄由来のサプレッサー細胞および末梢血液単核細胞の数を測定することと、
骨髄由来のサプレッサー細胞と末梢血液単核細胞との比が、１：２００から１：４の間にある場合に、前記併用療法を前記患者に投与することと
を含む前記方法。
【請求項２】
エンチノスタットと第２の治療剤とを含む併用療法について患者を選択する方法であって、
がんと診断された前記患者から末梢血液試料を取得することと、
前記末梢血液試料から得られた１つまたは複数の骨髄由来のサプレッサー細胞を第１の結合剤と接触させて、１つまたは複数の第１の結合剤−骨髄由来のサプレッサー細胞複合体を生成することと、
前記末梢血液試料から得られた１つまたは複数の末梢血液単核細胞を第２の結合剤と接触させて、１つまたは複数の第２の結合剤−末梢血液単核細胞複合体を生成することと、
前記末梢血液試料中の、前記第１の結合剤−骨髄由来のサプレッサー細胞複合体と前記第２の結合剤−末梢血液単核細胞複合体との比を測定することと、
第１の結合剤−骨髄由来のサプレッサー細胞複合体と第２の結合剤−末梢血液単核細胞複合体との前記比が、１：２００から１：４の間にある場合に、前記患者に前記併用療法を投与することと
を含む前記方法。
【請求項３】
患者におけるがんについて予後を提供する方法であって、
がんと診断された前記患者から末梢血液試料を取得することと、
前記末梢血液試料中の骨髄由来のサプレッサー細胞および末梢血液単核細胞の数を測定することと
を含み、
骨髄由来のサプレッサー細胞と末梢血液単核細胞との比が１：２００から１：４の間にある場合に、エンチノスタットと第２の治療剤とを含む併用療法を前記患者に投与すること
をさらに含む、前記方法。
【請求項４】
前記末梢血液試料が、抗凝固剤で処置される、請求項１から３のいずれか一項に記載の方法。
【請求項５】
前記抗凝固剤が、ＥＤＴＡまたはヘパリンである、請求項４に記載の方法。
【請求項６】
前記骨髄由来のサプレッサー細胞の集団および前記ＰＢＭＣの集団を測定することが、フローサイトメトリーにより実施される、請求項１から５のいずれか一項に記載の方法。
【請求項７】
前記骨髄由来のサプレッサー細胞の個数および前記ＰＢＭＣの個数を測定することが、サイトスピンにより実施される、請求項１から５のいずれか一項に記載の方法。
【請求項８】
前記骨髄由来のサプレッサー細胞の集団が、細胞表面マーカーにより同定される、請求項１から７のいずれか一項に記載の方法。
【請求項９】
前記細胞表面マーカーが、ＣＤ１１ｂ、ＣＤ３３、およびＣＤ４０のうちの少なくとも１つである、請求項８に記載の方法。
【請求項１０】
前記末梢血液単核細胞の集団が、細胞表面マーカーにより同定される、請求項１から７のいずれか一項に記載の方法。
【請求項１１】
前記細胞表面マーカーが、ＣＤ３、ＣＤ１４、ＣＤ１９、ＣＤ５６、およびＨＬＡ−ＤＲのうちの少なくとも１つである、請求項１０に記載の方法。
【請求項１２】
前記骨髄由来のサプレッサー細胞が、多形核ＭＤＳＣである、請求項１から７のいずれか一項に記載の方法。
【請求項１３】
前記多形核ＭＤＳＣが、細胞表面マーカーにより同定される、請求項１２に記載の方法。
【請求項１４】
前記細胞表面マーカーが、ＣＤ１５である、請求項１３に記載の方法。
【請求項１５】
前記骨髄由来のサプレッサー細胞が、単球ＭＤＳＣである、請求項１から７のいずれか一項に記載の方法。
【請求項１６】
前記単球ＭＤＳＣが、細胞表面マーカーにより同定される、請求項１５に記載の方法。
【請求項１７】
前記細胞表面マーカーが、ＣＤ１４である、請求項１６に記載の方法。
【請求項１８】
前記比が、１：１００から１：４の間にある、請求項１から１７のいずれか一項に記載の方法。
【請求項１９】
前記比が、１：５０から１：４の間にある、請求項１から１７のいずれか一項に記載の方法。
【請求項２０】
前記比が、１：２０から１：４の間にある、請求項１から１７のいずれか一項に記載の方法。
【請求項２１】
前記比が、１：１０から１：４の間にある、請求項１から１７のいずれか一項に記載の方法。
【請求項２２】
前記比が、１：５から１：４の間にある、請求項１から１７のいずれか一項に記載の方法。
【請求項２３】
前記エンチノスタットが、経口投与される、請求項１から２２のいずれか一項に記載の方法。
【請求項２４】
前記エンチノスタットが、最初に投与される、請求項１から２２のいずれか一項に記載の方法。
【請求項２５】
前記エンチノスタットが、毎週投与される、請求項１から２２のいずれか一項に記載の方法。
【請求項２６】
前記エンチノスタットが、２週毎に投与される、請求項１から２２のいずれか一項に記載の方法。
【請求項２７】
前記第２の治療剤が、抗ＰＤ−１抗体である、請求項１から２６のいずれか一項に記載の方法。
【請求項２８】
前記抗ＰＤ−１抗体が、ペンブロリズマブである、請求項２７に記載の方法。
【請求項２９】
前記抗ＰＤ−１抗体が、ニボルマブである、請求項２７に記載の方法。
【請求項３０】
前記がんが、肺がんである、請求項２８に記載の方法。
【請求項３１】
前記肺がんが、非小細胞性肺がん、扁平上皮癌、または大細胞癌である、請求項３０に記載の方法。
【請求項３２】
前記がんが、メラノーマである、請求項２８または２９に記載の方法。
【請求項３３】
前記メラノーマが、転移性メラノーマである、請求項３２に記載の方法。
【請求項３４】
前記第２の治療剤が、抗ＰＤ−Ｌ１抗体である、請求項１から２６のいずれか一項に記載の方法。
【請求項３５】
前記抗ＰＤ−Ｌ１抗体が、ＭＰＤＬ３２８０Ａである、請求項３４に記載の方法。
【請求項３６】
前記第２の治療剤が、エキセメスタンである、請求項１から２６のいずれか一項に記載の方法。
【請求項３７】
前記がんが、乳がんである、請求項３４から３６のいずれか一項に記載の方法。
【請求項３８】
前記第２の治療剤が、ＭＰＤＬ３２８０Ａであり、前記乳がんが、三種陰性乳がんである、請求項３７に記載の方法。
【請求項３９】
前記第２の治療剤が、エキセメスタンであり、前記乳がんが、ホルモン受容体陽性乳がんである、請求項３７に記載の方法。
【請求項４０】
前記抗ＰＤ−１抗体または前記抗ＰＤ−Ｌ１抗体が、輸液により投与される、請求項２７または３４に記載の方法。
【請求項４１】
前記エキセメスタンが、経口投与される、請求項３６に記載の方法。
【請求項４２】
前記第１および第２の結合剤が、それぞれ独立して抗体である、請求項２から４１のいずれか一項に記載の方法。
【請求項４３】
前記第１および第２の結合剤が、細胞表面マーカーとそれぞれ独立して結合する、請求項２から４２のいずれか一項に記載の方法。
【請求項４４】
前記第１の結合剤が結合した前記細胞表面マーカーが、ＣＤ１１ｂ、ＣＤ３３、およびＣＤ４０のうちの少なくとも１つである、請求項４３に記載の方法。
【請求項４５】
前記第２の結合剤が結合した前記細胞表面マーカーが、ＣＤ３、ＣＤ１４、ＣＤ１９、ＣＤ５６、およびＨＬＡ−ＤＲのうちの少なくとも１つである、請求項４３に記載の方法。
【請求項４６】
エンチノスタットと第２の治療剤とを含む併用療法について患者を選択する方法であって、
がんと診断された前記患者から末梢血液試料を取得することと、
前記末梢血液試料中の、ＣＤ１４陽性かつＨＬＡ−ＤＲ−（ｌｏ／陰性）細胞の数を測定することと、
前記末梢血液試料中の、ＣＤ１４陽性細胞の数を測定することと、
ＣＤ１４陽性かつＨＬＡ−ＤＲ−（ｌｏ／陰性）細胞とＣＤ１４陽性細胞との比が、１：１００から９９：１の間にある場合に、併用療法を投与することと
を含む方法。
【請求項４７】
エンチノスタットと第２の治療剤とを含む併用療法について患者を選択する方法であって、
がんと診断された前記患者から末梢血液試料を取得することと、
前記末梢血液試料中の、ＣＤ１４陽性かつＨＬＡ−ＤＲ−（ｌｏ／陰性）細胞の数を測定することと、
前記末梢血液試料中の末梢血液単核細胞の数を測定することと、
ＣＤ１４陽性かつＨＬＡ−ＤＲ−（ｌｏ／陰性）細胞と末梢血液単核細胞との比が、１：２００から１：１の間にある場合に、併用療法を投与することと
を含む方法。
【請求項４８】
患者におけるがんについて予後を提供する方法であって、
がんと診断された前記患者から末梢血液試料を取得することと、
前記末梢血液試料中の、ＣＤ１４陽性かつＨＬＡ−ＤＲ−（ｌｏ／陰性）細胞の数を測定することと、
前記末梢血液試料中の、ＣＤ１４陽性細胞の数を測定することと
を含み、
ＣＤ１４陽性かつＨＬＡ−ＤＲ−（ｌｏ／陰性）細胞とＣＤ１４陽性細胞との比が、１：１００から９９：１の間にある場合に、エンチノスタットと第２の治療剤とを含む併用療法を前記患者に投与すること
をさらに含む方法。
【請求項４９】
患者におけるがんについて予後を提供する方法であって、
がんと診断された前記患者から末梢血液試料を取得することと、
前記末梢血液試料中の、ＣＤ１４陽性かつＨＬＡ−ＤＲ−（ｌｏ／陰性）細胞の数を測定することと、
前記末梢血液試料中の末梢血液単核細胞の数を測定することと
を含み、
ＣＤ１４陽性かつＨＬＡ−ＤＲ−（ｌｏ／陰性）細胞と末梢血液単核細胞との比が、１：２００から１：１の間にある場合に、エンチノスタットと第２の治療剤とを含む併用療法を患者に投与すること
をさらに含む方法。
【請求項５０】
前記末梢血液試料が、抗凝固剤で処置される、請求項４６から４９のいずれか一項に記載の方法。
【請求項５１】
前記抗凝固剤が、ＥＤＴＡまたはヘパリンである、請求項５０に記載の方法。
【請求項５２】
前記末梢血液試料中の、ＣＤ１４陽性かつＨＬＡ−ＤＲ−（ｌｏ／陰性）細胞の数を測定することが、フローサイトメトリーにより実施される、請求項４６から５１のいずれか一項に記載の方法。
【請求項５３】
前記末梢血液単核細胞の集団が、細胞表面マーカーにより同定される、請求項４６から５２のいずれか一項に記載の方法。
【請求項５４】
前記細胞表面マーカーが、ＣＤ３、ＣＤ１４、ＣＤ１９、ＣＤ５６、およびＨＬＡ−ＤＲのうちの少なくとも１つである、請求項５３に記載の方法。
【請求項５５】
前記比が、１：５０から９９：１の間にある、請求項４６、４８、および５０から５４のいずれか一項に記載の方法。
【請求項５６】
前記比が、１：２０から９９：１の間にある、請求項４６、４８、および５０から５４のいずれか一項に記載の方法。
【請求項５７】
前記比が、１：１０から９９：１の間にある、請求項４６、４８、および５０から５４のいずれか一項に記載の方法。
【請求項５８】
前記比が、１：５から９９：１の間にある、請求項４６、４８、および５０から５４のいずれか一項に記載の方法。
【請求項５９】
前記比が、１：５０から１：４の間にある、請求項４７および４９から５４のいずれか一項に記載の方法。
【請求項６０】
前記比が、１：２０から１：４の間にある、請求項４７および４９から５４のいずれか一項に記載の方法。
【請求項６１】
前記比が、１：１０から１：４の間にある、請求項４７および４９から５４のいずれか一項に記載の方法。
【請求項６２】
前記比が、１：５から１：４の間にある、請求項４７および４９から５４のいずれか一項に記載の方法。
【請求項６３】
前記エンチノスタットが、経口投与される、請求項４６から６２のいずれか一項に記載の方法。
【請求項６４】
前記エンチノスタットが、最初に投与される、請求項４６から６２のいずれか一項に記載の方法。
【請求項６５】
前記エンチノスタットが、毎週投与される、請求項４６から６２のいずれか一項に記載の方法。
【請求項６６】
前記エンチノスタットが、２週間毎に投与される、請求項４６から６２のいずれか一項に記載の方法。
【請求項６７】
前記第２の治療剤が、抗ＰＤ−１抗体である、請求項４６から６６のいずれか一項に記載の方法。
【請求項６８】
前記抗ＰＤ−１抗体が、ペンブロリズマブである、請求項６７に記載の方法。
【請求項６９】
前記抗ＰＤ−１抗体が、ニボルマブである、請求項６７に記載の方法。
【請求項７０】
前記がんが、肺がんである、請求項６８に記載の方法。
【請求項７１】
前記肺がんが、非小細胞性肺がん、扁平上皮癌、または大細胞癌である、請求項７０に記載の方法。
【請求項７２】
前記がんが、メラノーマである、請求項６８または６９に記載の方法。
【請求項７３】
前記メラノーマが、転移性メラノーマである、請求項７２に記載の方法。
【請求項７４】
前記第２の治療剤が、抗ＰＤ−Ｌ１抗体である、請求項４６から６６のいずれか一項に記載の方法。
【請求項７５】
前記抗ＰＤ−Ｌ１抗体が、ＭＰＤＬ３２８０Ａである、請求項７４に記載の方法。
【請求項７６】
前記第２の治療剤が、エキセメスタンである、請求項４６から６６のいずれか一項に記載の方法。
【請求項７７】
前記がんが、乳がんである、請求項７４から７６のいずれか一項に記載の方法。
【請求項７８】
前記第２の治療剤が、ＭＰＤＬ３２８０Ａであり、前記乳がんが、三種陰性乳がんである、請求項３２に記載の方法。
【請求項７９】
前記第２の治療剤が、エキセメスタンであり、前記乳がんが、ホルモン受容体陽性乳がんである、請求項７７に記載の方法。
【請求項８０】
前記抗ＰＤ−１抗体または前記抗ＰＤ−Ｌ１抗体が、輸液により投与される、請求項６７または７４に記載の方法。
【請求項８１】
前記エキセメスタンが、経口投与される、請求項７６に記載の方法。
【発明の詳細な説明】
【技術分野】
【０００１】
関連出願
本出願は、２０１５年９月２日に出願された米国仮出願番号第６２／２１３，２８８号および２０１５年９月１６日に出願された米国仮出願番号第６２／２１９，６１２号の利益および優先権を主張しており、これら仮出願の各々の内容は、それらの全体が参考として本明細書中に援用される。
【背景技術】
【０００２】
背景
がん、腫瘍、腫瘍関連障害、および腫瘍性疾患の状態は重篤であり、また多くの場合、生命を脅かす状態である。これらの疾患および障害は、急速増殖性の細胞増殖により特徴付けられ、その処置に有効である治療剤の同定に向けられた研究努力の対象としてなおも存続している。そのような薬剤は、患者の生存を延ばし、新生物と関連した急速増殖性の細胞増殖を阻害するか、または新生物の退縮をもたらす。
【０００３】
ＨＤＡＣ阻害剤（ＨＤＡＣｉ）は、クロマチンリモデリングおよび遺伝子発現調節を通じて、血液学的悪性疾患および固形悪性疾患における分化およびアポトーシスを促進する新興のクラスの治療剤である。ＨＤＡＣｉの抗腫瘍効果は研究されてきたが、がん患者の全身性免疫に対するＨＤＡＣｉの影響は不明確なままである。
【０００４】
例えば、抗腫瘍剤の有効性を向上させ、典型的には従来の処置に伴う副作用を低下させ、そして／または除去するために、複数の適応症におけるがん免疫療法が必要とされている。
【発明の概要】
【課題を解決するための手段】
【０００５】
概要
一つの態様では、本明細書において、エンチノスタットと第２の治療剤とを含む併用療法について患者を選択する方法が提供される。この方法は、がんと診断された前記患者から末梢血液試料を取得することと、前記末梢血液試料中の骨髄由来のサプレッサー細胞および末梢血液単核細胞の数を測定することと、骨髄由来のサプレッサー細胞と末梢血液単核細胞との比が、１：２００から１：４の間にある場合に、前記併用療法を投与することとを含む。
【０００６】
別の態様では、本明細書において、エンチノスタットと第２の治療剤とを含む併用療法について患者を選択する方法が提供される。この方法は、がんと診断された前記患者から末梢血液試料を取得することと、前記末梢血液試料から得られた１つまたは複数の骨髄由来のサプレッサー細胞を第１の結合剤と接触させて、１つまたは複数の第１の結合剤−骨髄由来のサプレッサー細胞複合体を生成することと、前記末梢血液試料から得られた１つまたは複数の末梢血液単核細胞を第２の結合剤と接触させて、１つまたは複数の第２の結合剤−末梢血液単核細胞複合体を生成することと、前記末梢血液試料中の、前記第１の結合剤−骨髄由来のサプレッサー細胞複合体と前記第２の結合剤−末梢血液単核細胞複合体との比を測定することと、第１の結合剤−骨髄由来のサプレッサー細胞複合体と第２の結合剤−末梢血液単核細胞複合体との前記比が、１：２００から１：４の間にある場合に、前記併用療法を投与することとを含む。
【０００７】
別の態様では、本明細書において、患者におけるがんについて予後を提供する方法であって、がんと診断された前記患者から末梢血液試料を取得することと、前記末梢血液試料中の骨髄由来のサプレッサー細胞および末梢血液単核細胞の数を測定することとを含み、骨髄由来のサプレッサー細胞と末梢血液単核細胞との比が１：２００から１：４の間にある場合に、エンチノスタットと第２の治療剤とを含む併用療法を前記患者に投与することをさらに含む、前記方法が提供される。
【０００８】
なお別の態様では、本明細書において、エンチノスタットと第２の治療剤とを含む併用療法について患者を選択する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の、ＣＤ１４陽性細胞の数を測定することと、ＣＤ１４陽性かつＨＬＡ−ＤＲ−（ｌｏ／陰性）細胞とＣＤ１４陽性細胞との比が、１：１００から９９：１の間にある場合に、併用療法を投与することとを含む方法が提供される。
【０００９】
別の態様では、エンチノスタットと第２の治療剤とを含む併用療法について患者を選択する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の末梢血液単核細胞の数を測定することと、ＣＤ１４陽性かつＨＬＡ−ＤＲ−（ｌｏ／陰性）細胞と末梢血液単核細胞との比が、１：２００から１：１の間にある場合に、併用療法を投与することとを含む方法が提供される。
【００１０】
さらに別の態様では、本明細書において、患者におけるがんについて予後を提供する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の、ＣＤ１４陽性細胞の数を測定することとを含み、ＣＤ１４陽性かつＨＬＡ−ＤＲ−（ｌｏ／陰性）細胞とＣＤ１４陽性細胞との比が、１：１００から９９：１の間にある場合に、エンチノスタットと第２の治療剤とを含む併用療法を前記患者に投与することをさらに含む方法が提供される。
【００１１】
また本明細書において、患者におけるがんについて予後を提供する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の末梢血液単核細胞の数を測定することとを含み、ＣＤ１４陽性かつＨＬＡ−ＤＲ−（ｌｏ／陰性）細胞と末梢血液単核細胞との比が、１：２００から１：１の間にある場合に、エンチノスタットと第２の治療剤とを含む併用療法を患者に投与することをさらに含む方法が提供される。
【図面の簡単な説明】
【００１２】
【図１】図１は、ＥＮＣＯＲＥ３０１トライアルに由来する選択された患者から得られた血液試料中のＣＤ１４＋細胞数、ＣＤ１４＋ＨＬＡ−ＤＲＨｉ単球細胞数、単球のＭＤＳＣ細胞数、単球ＭＤＳＣ上のＣＤ４０発現、顆粒球ＭＤＳＣ細胞数、および単球ＭＤＳＣ上のＣＤ４０発現について、ベースラインから、エンチノスタットおよびエキセメスタン（ＥＥ）の組合せ、またはエキセメスタンおよびプラセボの組合せによる処置の１５日目の間に生じた変化の百分率を表す。
【００１３】
【図２Ａ】図２は、エンチノスタットが、乳がん患者のＣＤ１４＋単球上でＨＬＡ−ＤＲ発現を増加させることを表す。（Ａ）乳がん患者のＰＢＭＣにおいて、ＣＤ１４＋単球（左側パネル）、ＣＤ１４＋ＨＬＡ−ＤＲｈｉ単球（赤色のボックス、右上側パネル）、およびＣＤ１４＋ＨＬＡ−ＤＲｌｏｗ／ｎｅｇ単球（青色のボックス、右下側パネル）を分析するためのゲーティング戦略。単一のＣＤ４５＋生存細胞について最初にゲーティングした。（Ｂ）エキセメスタン＋プラセボ（ＥＰ）群（ｎ＝１４）およびエキセメスタン＋エンチノスタット（ＥＥ）群（ｎ＝２０）におけるベースラインからＣ１Ｄ１５への単一のＣＤ４５＋生存ＰＢＭＣの中のＣＤ１４＋ＨＬＡ−ＤＲｈｉ単球の変化の％。ＣＤ１４＋ＨＬＡ−ＤＲｈｉ単球のレベルは、ＥＰ群と比較して、ＥＥ群において有意に増加した（Ｐ＝０．０００４）。（Ｃ）ＥＰ群（ｎ＝１４）およびＥＥ群（ｎ＝２０）において、ベースラインからＣ１Ｄ１５へのＣＤ１４＋単球上のＨＬＡ−ＤＲ発現の変化（蛍光強度中央値、ＭＦＩ）。ＣＤ１４＋単球上のＨＬＡ−ＤＲ発現のレベルは、ＥＰ群と比較して、ＥＥ群において有意に増加した（Ｐ＝０．０１５）。（Ｄ）ｉｎ  ｖｉｔｒｏでのＣＤ１４＋単球上のＨＬＡ−ＤＲ発現。新鮮なＰＢＭＣを、ＤＭＳＯまたはエンチノスタット（０．５μＭ）を用いて２日間培養した。左側のパネルは、ＤＭＳＯ（青色のヒストグラム）またはエンチノスタット（赤色のヒストグラム）を用いて培養したＣＤ１４＋単球上のＨＬＡ−ＤＲ発現の代表的なヒストグラムを示す。黒色のヒストグラムは、アイソタイプ対照を示す。右側のパネルは、ＤＭＳＯまたはエンチノスタットを用いて培養したＣＤ１４＋単球上のＨＬＡ−ＤＲ発現レベルの差異を示す。各ラインは、異なる健常ドナーを表す（ｎ＝８、Ｐ＝０．００８）。蛍光強度中央値、ＭＦＩ。
【図２Ｂ−Ｄ】図２は、エンチノスタットが、乳がん患者のＣＤ１４＋単球上でＨＬＡ−ＤＲ発現を増加させることを表す。（Ａ）乳がん患者のＰＢＭＣにおいて、ＣＤ１４＋単球（左側パネル）、ＣＤ１４＋ＨＬＡ−ＤＲｈｉ単球（赤色のボックス、右上側パネル）、およびＣＤ１４＋ＨＬＡ−ＤＲｌｏｗ／ｎｅｇ単球（青色のボックス、右下側パネル）を分析するためのゲーティング戦略。単一のＣＤ４５＋生存細胞について最初にゲーティングした。（Ｂ）エキセメスタン＋プラセボ（ＥＰ）群（ｎ＝１４）およびエキセメスタン＋エンチノスタット（ＥＥ）群（ｎ＝２０）におけるベースラインからＣ１Ｄ１５への単一のＣＤ４５＋生存ＰＢＭＣの中のＣＤ１４＋ＨＬＡ−ＤＲｈｉ単球の変化の％。ＣＤ１４＋ＨＬＡ−ＤＲｈｉ単球のレベルは、ＥＰ群と比較して、ＥＥ群において有意に増加した（Ｐ＝０．０００４）。（Ｃ）ＥＰ群（ｎ＝１４）およびＥＥ群（ｎ＝２０）において、ベースラインからＣ１Ｄ１５へのＣＤ１４＋単球上のＨＬＡ−ＤＲ発現の変化（蛍光強度中央値、ＭＦＩ）。ＣＤ１４＋単球上のＨＬＡ−ＤＲ発現のレベルは、ＥＰ群と比較して、ＥＥ群において有意に増加した（Ｐ＝０．０１５）。（Ｄ）ｉｎ  ｖｉｔｒｏでのＣＤ１４＋単球上のＨＬＡ−ＤＲ発現。新鮮なＰＢＭＣを、ＤＭＳＯまたはエンチノスタット（０．５μＭ）を用いて２日間培養した。左側のパネルは、ＤＭＳＯ（青色のヒストグラム）またはエンチノスタット（赤色のヒストグラム）を用いて培養したＣＤ１４＋単球上のＨＬＡ−ＤＲ発現の代表的なヒストグラムを示す。黒色のヒストグラムは、アイソタイプ対照を示す。右側のパネルは、ＤＭＳＯまたはエンチノスタットを用いて培養したＣＤ１４＋単球上のＨＬＡ−ＤＲ発現レベルの差異を示す。各ラインは、異なる健常ドナーを表す（ｎ＝８、Ｐ＝０．００８）。蛍光強度中央値、ＭＦＩ。
【００１４】
【図３Ａ】図３は、エンチノスタットが、乳がん患者において、単球ＭＤＳＣおよび顆粒球ＭＤＳＣを減少させることを示す。（Ａ）乳がん患者のＰＢＭＣのＭＤＳＣ表現型を分析するためのゲーティング戦略。最初のゲーティングを単一のＣＤ４５＋生存細胞上で行った。系列（ＣＤ３、ＣＤ１９、ＣＤ５６）−ＨＬＡ−ＤＲ−ＣＤ１１ｂ＋ＣＤ３３＋細胞を、Ｌｉｎ−ＭＤＳＣとして定義した。Ｌｉｎ−ＭＤＳＣを、単球ＭＤＳＣ（Ｌｉｎ−ＨＬＡ−ＤＲ−ＣＤ１１ｂ＋ＣＤ３３＋ＣＤ１４＋細胞）と未成熟ＭＤＳＣ（Ｌｉｎ−ＨＬＡ−ＤＲ−ＣＤ１１ｂ＋ＣＤ３３＋ＣＤ１４−細胞）とにさらに分割した。ＣＤ１４−ＣＤ１１ｂ＋ＣＤ３３＋細胞を顆粒球ＭＤＳＣとして定義した。（Ｂ）エキセメスタン＋プラセボ（ＥＰ）群（ｎ＝１４）およびエキセメスタン＋エンチノスタット（ＥＥ）群（ｎ＝２０）におけるベースラインからＣ１Ｄ１５への単一のＣＤ４５＋生存ＰＢＭＣ中の単球ＭＤＳＣの変化の％。単球ＭＤＳＣのレベルは、ＥＰ群と比較して、ＥＥ群において有意に低下した（Ｐ＝０．００２）。（Ｃ）ＥＰ群（ｎ＝１４）およびＥＥ群（ｎ＝２０）におけるベースラインからへＣ１Ｄ１５の単一のＣＤ４５＋生存ＰＢＭＣ中の顆粒球ＭＤＳＣの変化の％。顆粒球ＭＤＳＣのレベルは、ＥＰ群と比較して、ＥＥ群において有意に低下した（Ｐ＝０．０２９）。
【図３Ｂ−Ｃ】図３は、エンチノスタットが、乳がん患者において、単球ＭＤＳＣおよび顆粒球ＭＤＳＣを減少させることを示す。（Ａ）乳がん患者のＰＢＭＣのＭＤＳＣ表現型を分析するためのゲーティング戦略。最初のゲーティングを単一のＣＤ４５＋生存細胞上で行った。系列（ＣＤ３、ＣＤ１９、ＣＤ５６）−ＨＬＡ−ＤＲ−ＣＤ１１ｂ＋ＣＤ３３＋細胞を、Ｌｉｎ−ＭＤＳＣとして定義した。Ｌｉｎ−ＭＤＳＣを、単球ＭＤＳＣ（Ｌｉｎ−ＨＬＡ−ＤＲ−ＣＤ１１ｂ＋ＣＤ３３＋ＣＤ１４＋細胞）と未成熟ＭＤＳＣ（Ｌｉｎ−ＨＬＡ−ＤＲ−ＣＤ１１ｂ＋ＣＤ３３＋ＣＤ１４−細胞）とにさらに分割した。ＣＤ１４−ＣＤ１１ｂ＋ＣＤ３３＋細胞を顆粒球ＭＤＳＣとして定義した。（Ｂ）エキセメスタン＋プラセボ（ＥＰ）群（ｎ＝１４）およびエキセメスタン＋エンチノスタット（ＥＥ）群（ｎ＝２０）におけるベースラインからＣ１Ｄ１５への単一のＣＤ４５＋生存ＰＢＭＣ中の単球ＭＤＳＣの変化の％。単球ＭＤＳＣのレベルは、ＥＰ群と比較して、ＥＥ群において有意に低下した（Ｐ＝０．００２）。（Ｃ）ＥＰ群（ｎ＝１４）およびＥＥ群（ｎ＝２０）におけるベースラインからへＣ１Ｄ１５の単一のＣＤ４５＋生存ＰＢＭＣ中の顆粒球ＭＤＳＣの変化の％。顆粒球ＭＤＳＣのレベルは、ＥＰ群と比較して、ＥＥ群において有意に低下した（Ｐ＝０．０２９）。
【００１５】
【図４Ａ−Ｂ】図４は、エンチノスタットが、乳がん患者において、ＭＤＳＣ上でＣＤ４０発現を低下させることを示す。（Ａ）エキセメスタン＋プラセボ（ＥＰ）群（ｎ＝１４）およびエキセメスタン＋エンチノスタット（ＥＥ）群（ｎ＝２０）におけるベースラインからＣ１Ｄ１５への単球ＭＤＳＣ上のＣＤ４０発現の変化（ＭＦＩ）。単球ＭＤＳＣ上のＣＤ４０のレベルは、ＥＰ群と比較して、ＥＥ群において有意に低下した（Ｐ＝０．０１１）。（Ｂ）ＥＰ群（ｎ＝１４）およびＥＥ群（ｎ＝２０）におけるベースラインからＣ１Ｄ１５への顆粒球ＭＤＳＣ上のＣＤ４０発現の変化（ＭＦＩ）。顆粒球ＭＤＳＣ上のＣＤ４０のレベルは、ＥＰ群と比較して、ＥＥ群において統計的に有意な低下を示さなかった（Ｐ＝０．２２）。（Ｃ）ＭＤＳＣの絶対生存細胞数（上側パネル、単球ＭＤＳＣ；下段パネル、顆粒球ＭＤＳＣ）。新鮮なＰＢＭＣ（ＰＢＭＣ２×１０６個／ウェル）を、ＩＬ−６（１０ｎｇ／ｍｌ）およびＧＭ−ＣＳＦ（１０ｎｇ／ｍｌ）を用いて培養した。５日目に、ＤＭＳＯまたはエンチノスタット（０．５μＭ）を添加し、細胞を３〜４日間培養した。各ラインは、異なる健常ドナーを表す（ｎ＝７；単球ＭＤＳＣ、Ｐ＝０．００４；顆粒球ＭＤＳＣ、Ｐ＝０．００４）。（Ｄ）単球ＭＤＳＣ（赤色のライン）、顆粒球ＭＤＳＣ（青色のライン）、および系列細胞（黒色のライン）における死細胞色素陽性細胞の百分率。新鮮なＰＢＭＣ（ＰＢＭＣ２×１０６個／ウェル）を、ＩＬ−６およびＧＭ−ＣＳＦを用いて培養し、次に、ＤＭＳＯまたはエンチノスタット（０．５μＭ）を２または３日間添加し、次に細胞を収集し、ＬＩＶＥ／ＤＥＡＤ  Ｆｉｘａｂｌｅ  Ａｑｕａ  Ｄｅａｄ  Ｃｅｌｌ  Ｓｔａｉｎおよび抗体で染色した。各集団（単球ＭＤＳＣ、顆粒球ＭＤＳＣ、および系列細胞）における死細胞色素陽性細胞の百分率を計算した。平均値±ＳＤを示す（ｎ＝７）。死亡単球ＭＤＳＣおよび死亡顆粒球ＭＤＳＣの百分率は、エンチノスタットにより増加したが、死亡系列細胞の百分率は増加しなかった。単球ＭＤＳＣ、Ｐ＝０．０１６；顆粒球ＭＤＳＣ、Ｐ＝０．０１６；系列細胞（ＣＤ３＋、ＣＤ１９＋、またはＣＤ５６＋）、Ｐ＝０．７。
【図４Ｃ−Ｄ】図４は、エンチノスタットが、乳がん患者において、ＭＤＳＣ上でＣＤ４０発現を低下させることを示す。（Ａ）エキセメスタン＋プラセボ（ＥＰ）群（ｎ＝１４）およびエキセメスタン＋エンチノスタット（ＥＥ）群（ｎ＝２０）におけるベースラインからＣ１Ｄ１５への単球ＭＤＳＣ上のＣＤ４０発現の変化（ＭＦＩ）。単球ＭＤＳＣ上のＣＤ４０のレベルは、ＥＰ群と比較して、ＥＥ群において有意に低下した（Ｐ＝０．０１１）。（Ｂ）ＥＰ群（ｎ＝１４）およびＥＥ群（ｎ＝２０）におけるベースラインからＣ１Ｄ１５への顆粒球ＭＤＳＣ上のＣＤ４０発現の変化（ＭＦＩ）。顆粒球ＭＤＳＣ上のＣＤ４０のレベルは、ＥＰ群と比較して、ＥＥ群において統計的に有意な低下を示さなかった（Ｐ＝０．２２）。（Ｃ）ＭＤＳＣの絶対生存細胞数（上側パネル、単球ＭＤＳＣ；下段パネル、顆粒球ＭＤＳＣ）。新鮮なＰＢＭＣ（ＰＢＭＣ２×１０６個／ウェル）を、ＩＬ−６（１０ｎｇ／ｍｌ）およびＧＭ−ＣＳＦ（１０ｎｇ／ｍｌ）を用いて培養した。５日目に、ＤＭＳＯまたはエンチノスタット（０．５μＭ）を添加し、細胞を３〜４日間培養した。各ラインは、異なる健常ドナーを表す（ｎ＝７；単球ＭＤＳＣ、Ｐ＝０．００４；顆粒球ＭＤＳＣ、Ｐ＝０．００４）。（Ｄ）単球ＭＤＳＣ（赤色のライン）、顆粒球ＭＤＳＣ（青色のライン）、および系列細胞（黒色のライン）における死細胞色素陽性細胞の百分率。新鮮なＰＢＭＣ（ＰＢＭＣ２×１０６個／ウェル）を、ＩＬ−６およびＧＭ−ＣＳＦを用いて培養し、次に、ＤＭＳＯまたはエンチノスタット（０．５μＭ）を２または３日間添加し、次に細胞を収集し、ＬＩＶＥ／ＤＥＡＤ  Ｆｉｘａｂｌｅ  Ａｑｕａ  Ｄｅａｄ  Ｃｅｌｌ  Ｓｔａｉｎおよび抗体で染色した。各集団（単球ＭＤＳＣ、顆粒球ＭＤＳＣ、および系列細胞）における死細胞色素陽性細胞の百分率を計算した。平均値±ＳＤを示す（ｎ＝７）。死亡単球ＭＤＳＣおよび死亡顆粒球ＭＤＳＣの百分率は、エンチノスタットにより増加したが、死亡系列細胞の百分率は増加しなかった。単球ＭＤＳＣ、Ｐ＝０．０１６；顆粒球ＭＤＳＣ、Ｐ＝０．０１６；系列細胞（ＣＤ３＋、ＣＤ１９＋、またはＣＤ５６＋）、Ｐ＝０．７。
【００１６】
【図５】図５は、乳がん患者のＰＢＭＣにおけるＴ細胞サブセットを分析するためのゲーティング戦略を示す。（Ａ）最初のゲーティングを、単一の生存細胞上で行った。ＣＤ４＋Ｔ細胞を、Ｔｒｅｇ（ＣＤ８−ＣＤ４＋ＣＤ２５ｈｉＦｏｘｐ３＋細胞）およびＦｏｘｐ３−ＣＤ４＋Ｔ細胞（ＣＤ８−ＣＤ４＋Ｆｏｘｐ３−細胞）にさらに分割した。（Ｂ）ＣＤ８＋Ｔ細胞、Ｆｏｘｐ３−ＣＤ４＋Ｔ細胞、およびＴｒｅｇについて、免疫チェックポイント受容体の発現を評価した。ＰＤ−１（左側）、ＣＴＬＡ−４（中央）、およびＴＩＭ−３（右側）に関する代表的なヒストグラムを示す。
【発明を実施するための形態】
【００１７】
詳細な説明
併用療法についてがん患者を選択する従来のアプローチは、組織学または分子分析に関するがんの評価に依拠する。本開示は、エンチノスタットと第２の治療剤との併用療法について患者を選択するための予測および予後バイオマーカーとしての、がん患者から得られた生体試料中の非腫瘍性骨髄由来のサプレッサー細胞、例えば、ＣＤ１４陽性かつＨＬＡ−ＤＲ−（ｌｏ／陰性）細胞のレベルに依拠する方法を提供する。
【００１８】
一態様では、本開示は、患者から収集された末梢血液試料中で測定された、骨髄由来のサプレッサー細胞と末梢血液単核細胞との比に基づき、エンチノスタットと第２の治療剤とを含む併用療法について患者を選択する方法であって、骨髄由来のサプレッサー細胞と末梢血液単核細胞との比が、１：２００から１：４の間にある場合に、併用療法が投与される方法に関する。本明細書における別の態様では、患者から収集された末梢血液試料中で測定された、骨髄由来のサプレッサー細胞−第１の結合剤複合体と、末梢血液単核細胞−第２の結合剤複合体との比に基づき、エンチノスタットと第２の治療剤とを含む併用療法について患者を選択する方法であって、複合体が、骨髄由来のサプレッサー細胞および末梢血液単核細胞を第１のおよび２の結合物質とそれぞれ接触させることにより形成され、ならびに骨髄由来のサプレッサー細胞−第１の結合剤複合体と末梢血液単核細胞−第２の結合剤複合体との比が１：２００から１：４の間にある場合に、併用療法が投与される方法が提供される。別の態様では、患者から収集された末梢血液試料中で測定された、骨髄由来のサプレッサー細胞と末梢血液単核細胞との比に基づき、患者のがんの診断および／または予測を提供する方法であって、骨髄由来のサプレッサー細胞と末梢血液単核細胞との比が１：２００から１：４の間にある場合に、エンチノスタットと第２の治療剤とを含む併用療法を投与することをさらに含む方法がさらに提供される。
【００１９】
なお別の態様では、本明細書において、エンチノスタットと第２の治療剤とを含む併用療法について患者を選択する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の、ＣＤ１４陽性細胞の数を測定することと、ＣＤ１４陽性かつＨＬＡ−ＤＲ−（ｌｏ／陰性）細胞とＣＤ１４陽性細胞との比が、１：１００から９９：１の間にある場合に、併用療法を投与することとを含む方法が提供される。別の態様において、エンチノスタットと第２の治療剤とを含む併用療法について患者を選択する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の末梢血液単核細胞の数を測定することと、ＣＤ１４陽性かつＨＬＡ−ＤＲ−（ｌｏ／陰性）細胞と末梢血液単核細胞との比が、１：２００から１：１の間にある場合に、併用療法を投与することとを含む方法が提供される。なお別の態様において、本明細書において、患者におけるがんについて予後を提供する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の、ＣＤ１４陽性細胞の数を測定することとを含み、ＣＤ１４陽性かつＨＬＡ−ＤＲ−（ｌｏ／陰性）細胞とＣＤ１４陽性細胞との比が、１：１００から９９：１の間にある場合に、エンチノスタットと第２の治療剤とを含む併用療法を前記患者に投与することをさらに含む方法が提供される。別の態様において、本明細書において、患者におけるがんについて予後を提供する方法であって、がんと診断された前記患者から末梢血液試料を取得することと、前記末梢血液試料中の、ＣＤ１４陽性かつＨＬＡ−ＤＲ−（ｌｏ／陰性）細胞の数を測定することと、前記末梢血液試料中の末梢血液単核細胞の数を測定することとを含み、ＣＤ１４陽性かつＨＬＡ−ＤＲ−（ｌｏ／陰性）細胞と末梢血液単核細胞との比が、１：２００から１：１の間にある場合に、エンチノスタットと第２の治療剤とを含む併用療法を患者に投与することをさらに含む方法が提供される。
【００２０】
一部の実施形態では、前記末梢血液試料が、抗凝固剤で処置される。一部の実施形態では、前記抗凝固剤が、ＥＤＴＡまたはヘパリンである。一部の実施形態では、前記末梢血液試料中の、ＣＤ１４陽性かつＨＬＡ−ＤＲ−（ｌｏ／陰性）細胞の数を測定することが、フローサイトメトリーにより実施される。一部の実施形態では、前記末梢血液単核細胞の集団が、細胞表面マーカーにより同定される。一部の実施形態では、前記細胞表面マーカーが、ＣＤ３、ＣＤ１４、ＣＤ１９、ＣＤ５６、およびＨＬＡ−ＤＲのうちの少なくとも１つである。一部の実施形態では、ＣＤ１４陽性かつＨＬＡ−ＤＲ−（ｌｏ／陰性）細胞とＣＤ１４陽性細胞との比は、１：５０から９９：１の間にある。一部の実施形態では、ＣＤ１４陽性かつＨＬＡ−ＤＲ−（ｌｏ／陰性）細胞とＣＤ１４陽性細胞との比は、１：２０から９９：１の間にある。一部の実施形態では、ＣＤ１４陽性かつＨＬＡ−ＤＲ−（ｌｏ／陰性）細胞とＣＤ１４陽性細胞との比は、１：１０から９９：１の間にある。一部の実施形態では、ＣＤ１４陽性かつＨＬＡ−ＤＲ−（ｌｏ／陰性）細胞と末梢血単核細胞との比は、１：５から９９：１の間にある。一部の実施形態では、ＣＤ１４陽性かつＨＬＡ−ＤＲ−（ｌｏ／陰性）細胞と末梢血単核細胞との比は、１：５０から１：４の間にある。一部の実施形態では、ＣＤ１４陽性かつＨＬＡ−ＤＲ−（ｌｏ／陰性）細胞と末梢血単核細胞との比は、１：２０から１：４の間にある。一部の実施形態では、ＣＤ１４陽性かつＨＬＡ−ＤＲ−（ｌｏ／陰性）細胞と末梢血単核細胞との比は、１：１０から１：４の間にある。一部の実施形態では、ＣＤ１４陽性かつＨＬＡ−ＤＲ−（ｌｏ／陰性）細胞と末梢血単核細胞との比は、１：５から１：４の間にある。
【００２１】
一部の実施形態では、前記エンチノスタットは、経口投与される。一部の実施形態では、前記エンチノスタットは、最初に投与される。一部の実施形態では、前記エンチノスタットは、毎週投与される。一部の実施形態では、前記エンチノスタットは、２週間毎に投与される。一部の実施形態では、前記エンチノスタットは、５ｍｇの用量で投与される。一部の実施形態では、前記エンチノスタットは、５ｍｇの用量で毎週投与される。一部の実施形態では、前記エンチノスタットは、５ｍｇの用量で２週間毎に投与される。
【００２２】
一部の実施形態では、前記第２の治療剤が、抗ＰＤ−１抗体である。一部の実施形態では、前記抗ＰＤ−１抗体が、ペンブロリズマブである。一部の実施形態では、前記抗ＰＤ−１抗体が、ニボルマブである。一部の実施形態では、前記がんが、肺がんである。一部の実施形態では、前記肺がんが、非小細胞性肺がん、扁平上皮癌、または大細胞癌である。一部の実施形態では、前記がんが、メラノーマである。一部の実施形態では、前記メラノーマが、転移性メラノーマである。一部の実施形態では、前記第２の治療剤が、抗ＰＤ−Ｌ１抗体である。一部の実施形態では、前記抗ＰＤ−Ｌ１抗体が、ＭＰＤＬ３２８０Ａである。一部の実施形態では、前記第２の治療剤が、エキセメスタンである。一部の実施形態では、前記がんが、乳がんである。一部の実施形態では、前記第２の治療剤が、ＭＰＤＬ３２８０Ａであり、前記乳がんが、三種陰性乳がんである。一部の実施形態では、前記第２の治療剤が、エキセメスタンであり、前記乳がんが、ホルモン受容体陽性乳がんである。一部の実施形態では、前記抗ＰＤ−１抗体または前記抗ＰＤ−Ｌ１抗体が、輸液により投与される。一部の実施形態では、前記エキセメスタンが、経口投与される。
【００２３】
本明細書に記載されている開示を理解しやすくするために、いくつかの用語を以下に定義する。
【００２４】
本明細書で使用する場合、「異常な細胞増殖」とは、正常細胞の異常増殖および異常細胞の増殖を含む、正常な調節機構と独立した細胞増殖（例えば、接触阻害の喪失）を意味する。
【００２５】
「新生物」とは、本明細書に記載されている場合、自律的増殖および体細胞変異により、正常な細胞とは区別される、異常な、未調節の、および無秩序な細胞の増殖である。腫瘍性細胞が増殖および分裂する際には、その遺伝子変異および増殖特性が子孫細胞に受け継がれる。新生物または腫瘍は、腫瘍性細胞の蓄積である。一部の実施形態では、新生物
は、良性である場合もあれば、悪性である場合もある。
【００２６】
「転移」とは、本明細書で使用する場合、リンパ管または血管を経由する腫瘍細胞の拡散を指す。また、転移は、漿膜腔（ｓｅｒｏｕｓ  ｃａｖｉｔｙ）、またはクモ膜下腔もしくは他の腔を通じて、直接広がることによる腫瘍細胞の移動を指す。転移プロセスを通じて、腫瘍細胞が身体の他の部位に移動すると、当初の出現部位から離れた領域に新生物がもたらされる。
【００２７】
本明細書で議論される場合、「血管形成」が腫瘍形成および転移において顕著である。血管新生因子が、いくつかの固形腫瘍、例えば横紋筋肉腫、網膜芽細胞腫、ユーイング肉腫、神経芽細胞腫、および骨肉腫と関連することが判明した。腫瘍は、栄養分を提供し、細胞の老廃物を取り除く血液供給無くして増殖することはできない。血管形成が重要である腫瘍として、固形腫瘍、例えば腎細胞癌、肝細胞癌、および良性腫瘍、例えば聴神経腫瘍、および神経線維腫が挙げられる。血管形成は、血液由来の腫瘍、例えば白血病と関連している。血管形成は、白血病を起こす骨髄の異常において役割を果たすと考えられている。血管形成を防止すれば、がん性腫瘍の増殖や腫瘍の存在に起因して生じた被験体への損傷を止め得る。
【００２８】
用語「被験体」とは、霊長類（例えば、ヒト）、ウシ、ヒツジ、ヤギ、ウマ、イヌ、ネコ、ウサギ、ラット、またはマウスを含むがこれらに限定されない動物を指す。用語「被験体」および「患者」は、例えば哺乳動物被験体、例えばヒト被験体と関連して、本明細書で交換可能に使用される。
【００２９】
用語「処置する（ｔｒｅａｔ）」、「処置すること（ｔｒｅａｔｉｎｇ）」、および「処置（ｔｒｅａｔｍｅｎｔ）」は、障害、疾患、もしくは状態；または障害、疾患、もしくは状態と関連した１つもしくは複数の症状の緩和または抑制；あるいは障害、疾患、または状態そのものの原因（複数可）の緩和または根絶を含むことを意味する。
【００３０】
用語「治療有効量」とは、投与したとき、処置される障害、疾患、または状態の１つまたは複数の症状の発症を防止する、またはそのような症状をある程度緩和するのに十分である化合物の量を指す。また、用語「治療有効量」は、研究者、獣医師、医師、または臨床医によって求められる細胞、組織、システム、動物、またはヒトの生物学的または医学的応答を誘発するのに十分である化合物の量を指す。
【００３１】
用語「薬学的に許容される担体」、「薬学的に許容される賦形剤」、「生理学的に許容される担体」、または「生理学的に許容される賦形剤」とは、薬学的に許容される物質、組成物、またはビヒクル、例えば液体もしくは固体の充填剤、希釈剤、賦形剤、溶媒、または被包材料を指す。各成分は、医薬製剤の他の成分との適合性の意味で、「薬学的に許容され」なければならない。また、過剰の毒性、刺激、アレルギー反応、免疫原性、または他の問題もしくは合併症を引き起こすことなく、ヒトおよび動物の組織または臓器との接触した使用に適し、合理的な利益／リスク比と釣り合わなければならない。Ｒｅｍｉｎｇｔｏｎ：  Ｔｈｅ  Ｓｃｉｅｎｃｅ  ａｎｄ  Ｐｒａｃｔｉｃｅ  ｏｆ  Ｐｈａｒｍａｃｙ、第２１版；  Ｌｉｐｐｉｎｃｏｔｔ  Ｗｉｌｌｉａｍｓ  ＆  Ｗｉｌｋｉｎｓ：  Ｐｈｉｌａｄｅｌｐｈｉａ、ＰＡ、２００５年；Ｈａｎｄｂｏｏｋ  ｏｆ  Ｐｈａｒｍａｃｅｕｔｉｃａｌ  Ｅｘｃｉｐｉｅｎｔｓ、第５版；Ｒｏｗｅら編、Ｔｈｅ  Ｐｈａｒｍａｃｅｕｔｉｃａｌ  Ｐｒｅｓｓ  ａｎｄ  ｔｈｅ  Ａｍｅｒｉｃａｎ  Ｐｈａｒｍａｃｅｕｔｉｃａｌ  Ａｓｓｏｃｉａｔｉｏｎ：２００５年；およびＨａｎｄｂｏｏｋ  ｏｆ  Ｐｈａｒｍａｃｅｕｔｉｃａｌ  Ａｄｄｉｔｉｖｅｓ、第３版；ＡｓｈおよびＡｓｈ編、Ｇｏｗｅｒ  Ｐｕｂｌｉｓｈｉｎｇ  Ｃｏｍｐａｎｙ：２００７年；Ｐｈａｒｍａｃｅｕｔｉｃａｌ  Ｐｒｅｆｏｒｍｕｌａｔｉｏｎ  ａｎｄ  Ｆｏｒｍｕｌａｔｉｏｎ、Ｇｉｂｓｏｎ編、ＣＲＣ  Ｐｒｅｓｓ  ＬＬＣ：  Ｂｏｃａ  Ｒａｔｏｎ、ＦＬ、２００４年を参照。
【００３２】
用語「医薬組成物」とは、本明細書に開示の化合物と、他の化学成分、例えば希釈剤または担体との混合物を指す。医薬組成物は、生物への化合物の投与を促進する。化合物を投与する複数の技法が、経口、注射、エアゾール、非経口、および局所投与を含め、当技術分野に存在するが、これらに限定されない。また、医薬組成物は、化合物を、無機酸または有機酸、例えば塩酸、臭化水素酸、硫酸、硝酸、リン酸、メタンスルホン酸、エタンスルホン酸、ｐ−トルエンスルホン酸、サリチル酸等と反応させることによって得ることができる。
【００３３】
用語「ｌｏ／陰性」とは、細胞上の細胞表面マーカーの発現について記載するために使用されるとき、未染色の対照細胞に対して、細胞上の細胞表面マーカーの発現の低いレベルから非存在のレベルに対応する。発現の低いレベルから非存在のレベルとは、未染色の対照細胞に対して、約１倍の増加、約２倍の増加、約３倍の増加、約４倍の増加、約５倍の増加、約６倍の増加、約７倍の増加、約８倍の増加、約９倍の増加、約１０倍の増加であり得、約１１倍の増加、約１２倍の増加、約１３倍の増加、約１４倍の増加、約１５倍の増加、約１６倍の増加、約１７倍の増加、約１８倍の増加、約１９倍の増加、または約２０倍の増加であり得る。発現の低いレベルから非存在のレベルとは、約１倍の増加から約２倍の増加、約２倍の増加から約３倍の増加、約３倍の増加から約４倍の増加、約４倍の増加から約５倍の増加、約５倍の増加から約６倍の増加、約６倍の増加から約７倍の増加、約７倍の増加から約８倍の増加、約８倍の増加から約９倍の増加、約９倍の増加から約１０倍の増加、約１０倍の増加から約１１倍の増加、約１１倍の増加から約１２倍の増加、約１２倍の増加から約１３倍の増加、約１３倍の増加から約１４倍の増加、約１４倍の増加から約１５倍の増加、約１５倍の増加から約１６倍の増加、約１６倍の増加から約１７倍の増加、約１７倍の増加から約１８倍の増加、約１８倍の増加から約１９倍の増加、または約１９倍の増加から約２０倍の増加であり得る。
【００３４】
がん、腫瘍、腫瘍関連障害、および腫瘍性疾患の状態は重篤であり、多くの場合、生命を脅かす状態である。これらの疾患および障害は、急速増殖性の細胞増殖により特徴付けられ、その処置に有効である治療剤の同定に向けられた研究努力の対象としてなおも存続している。そのような薬剤は、患者の生存期間を延ばし、新生物と関連した急速増殖性の細胞増殖を阻害するか、または新生物の退縮をもたらす。
【００３５】
ＨＤＡＣ阻害剤は、クロマチンリモデリングおよび遺伝子発現調節を通じて、血液学的悪性疾患および固形悪性疾患における分化およびアポトーシスを促進する新たなクラスの治療剤である。いくつかのＨＤＡＣ阻害剤が同定されており、これには、ベンズアミド（エンチノスタット）、短鎖脂肪酸（すなわち、フェニル酪酸ナトリウム）；ヒドロキサム酸（すなわち、スベロイルアニリドヒドロキサミン酸およびトリコスタチン（ｔｈｒｉｃｈｏｓｔａｔｉｎ）Ａ）；２−アミノ−８−オキソ−９，１０−エポキシ−デカノイル部分を含有する環状テトラペプチド（すなわち、トラポキシンＡ）、および２−アミノ−８−オキソ−９，１０−エポキシ−デカノイル部分を有さない環状ペプチド（すなわち、ＦＫ２２８）が含まれる。エンチノスタットは、複数種の固形腫瘍および血液のがんにおいて臨床試験が実施されたベンズアミドＨＤＡＣ阻害剤である。エンチノスタットは、急速に吸収され、約１００時間の半減期を有し、重要なこととして、ヒストンアセチル化の変化が、エンチノスタット投与後の数週間にわたり持続する。
【００３６】
いずれの理論にも拘束されるものではないが、骨髄由来のサプレッサー細胞は、エフェクター抗腫瘍Ｔ細胞活性を遮断し、免疫回避を促進するものと考えられている。骨髄由来のサプレッサー細胞は、乳がん患者で増加し、転移性の疾患を有する患者において、最高レベルの循環性骨髄由来のサプレッサー細胞が存在する。転移性乳がんの状況において、対症的全身治療後の末梢血骨髄由来のサプレッサー細胞の平均レベルよりも高い患者ほど、全生存期間は短かった。乳がんのアジュバント化学療法の状況において、循環性骨髄由来のサプレッサー細胞のレベルが低下すると、臨床的有効性の向上と相関することが明らかにされている。乳がんのマウスモデルにおける機能試験により、骨髄由来のサプレッサー細胞が枯渇または不活性化すれば、抗腫瘍性免疫応答の発生により、腫瘍増殖および進行が抑えられることが見出された。
【００３７】
いずれの理論にも拘束されるものではないが、骨髄由来のサプレッサー細胞が枯渇すると腫瘍に対する免疫応答が生じることにより、がんを処置するように作用し得るものと考えられる。
骨髄由来のサプレッサー細胞
【００３８】
骨髄由来のサプレッサー細胞は、先天免疫および適応免疫を阻害する未成熟骨髄細胞の不均質な集団である。骨髄由来のサプレッサー細胞は、アルギニンの枯渇、反応性窒素および酸素種の生成、ならびに阻害性サイトカインの分泌を含む機構を通じて、先天免疫および適応免疫を阻害し得る。
【００３９】
骨髄由来のサプレッサー細胞は、細胞表面マーカーＣＤ３３およびＣＤ１１ｂを一般的に発現し、ならびにＨＬＡ−ＤＲの発現は低下している（ＨＬＡ−ＤＲ  ｌｏ／陰性）。骨髄由来のサプレッサー細胞の非限定的な例として、単球系骨髄由来のサプレッサー細胞（Ｍ−ＭＤＳＣ）および多形核骨髄由来のサプレッサー細胞（ＰＭＮ−ＭＤＳＣ）が挙げられる。Ｍ−ＭＤＳＣは、細胞表面マーカーＣＤ１４を発現し、ＨＬＡ−ＤＲ  ｌｏ／陰性であり、ヒトでは細胞表面マーカーＣＤ１５を発現しない。ＰＭＮ−ＭＤＳＣは、細胞表面マーカーＣＤ１４を発現しないが、ヒトでは細胞表面マーカーＣＤ１５を発現する。
【００４０】
骨髄由来のサプレッサー細胞は、免疫賦活細胞、例えばＴリンパ球、ナチュラルキラー（ＮＫ）細胞、および樹状細胞（ＤＣ）の阻害を引き起こす。反対に、骨髄由来のサプレッサー細胞は、免疫サプレッサー細胞、例えばＴｈ２Ｔリンパ球、Ｔ調節細胞（Ｔｒｅｇ）、および腫瘍関連のマクロファージ（ＴＡＭ）に対して刺激性であり得る。骨髄由来のサプレッサー細胞は、ＭＤＳＣの増殖を促進するサイトカイン、例えばＩＬ−６も分泌し得る。骨髄由来のサプレッサー細胞が増殖すると、必須アミノ酸、例えばＴリンパ球の生存に必要なアルギニンおよびシステインの封鎖を引き起こす可能性がある。骨髄由来のサプレッサー細胞は、Ｔリンパ球に対して強力な毒性を有する活性酸素種、例えば一酸化窒素の生成を通じて免疫を阻害する。
【００４１】
ヒストンデアセチラーゼ
ＨＤＡＣは、少なくとも１８種類の酵素を含むファミリーであり、３クラスにグループ化される（クラスＩ、ＩＩ、およびＩＩＩ）。クラスＩのＨＤＡＣには、ＨＤＡＣ１、２、３、および８が含まれるが、これらに限定されない。クラスＩのＨＤＡＣは核に見出され得るが、転写制御リプレッサーと関係すると考えられている。クラスＩＩのＨＤＡＣには、ＨＤＡＣ４、５、６、７、および９が非限定的に含まれ、細胞質および核の両方に見出され得る。クラスＩＩＩのＨＤＡＣは、ＮＡＤ依存性タンパク質であると考えられており、サーチュインファミリーのタンパク質のメンバーが含まれるが、これらに限定されない。サーチュインタンパク質の非限定的な事例として、ＳＩＲＴ１〜７が挙げられる。本明細書で使用する場合、用語「選択的ＨＤＡＣ」とは、ＨＤＡＣの３クラスすべてとは相
互作用しないＨＤＡＣ阻害剤を指す。
【００４２】
ＨＤＡＣ阻害剤
ＨＤＡＣ阻害剤は、汎ＨＤＡＣ阻害剤と選択的ＨＤＡＣ阻害剤とに、おおむね分類され得る。公知のＨＤＡＣ阻害剤には多くの構造的多様性が認められるものの、共通した特徴も共有する：酵素活性部位と相互作用する部分、および活性部位に至るチャネル内側に位置する側鎖。これは、ヒドロキサメート基が活性部位と相互作用すると考えられているヒドロキサメート、例えばＳＡＨＡと共に認められ得る。デプシペプチドの場合、ジスルフィド結合が細胞内で還元されると、４−炭素アルケニル鎖に結合した遊離型チオール基（活性部位と相互作用する）が作り出されると考えられている。ＨＤＡＣ阻害剤間の差異は、活性部位に対して反対側のチャネル端部にあるＨＤＡＣチャネルの縁と相互作用するという点にある。ＨＤＡＣ阻害剤とチャネルの縁との間のこの相互作用こそが、ＳＡＨＡ等の汎ＨＤＡＣ阻害剤とデプシペプチド等の選択的ＨＤＡＣ阻害剤との間で、ＨＤＡＣの選択性について認められた一部の差異を、少なくともある程度説明すると考えられている。特に好ましいＨＤＡＣ阻害剤は、エンチノスタットである。エンチノスタットは、化学名Ｎ−（２−アミノフェニル）−４−［Ｎ−（ピリジン−３−イル）メトキシカルボニルアミノ−メチル］−ベンズアミド、および以下に示す化学構造を有する。
【化１】
2018527570.tif 000003
【００４３】
プログラム細胞死−１（ＰＤ−１）
ＰＤ−１は、受容体の免疫グロブリンスーパーファミリーに属するＴ細胞調節因子のＣＤ２８ファミリーのメンバーである細胞表面受容体である。ヒトＰＤ−１遺伝子は、染色体２ｑ３７に位置し、また完全長ＰＤ−１  ｃＤＮＡは、２８８個のアミノ酸残基を有するタンパク質をコードし、マウスＰＤ−１と６０％の相同性を有する。同遺伝子は、胸腺の発生中にＣＤ４−ＣＤ８−（ダブルネガティブ）胸腺細胞上に存在し、長期抗原曝露後に、ＴおよびＢ細胞等の成熟した造血細胞、ＮＫＴ細胞、および単球における活性化の際に発現する。
【００４４】
いかなる理論にも縛られるつもりはないが、リガンドＰＤ−Ｌ１のＰＤ−１への結合は、エフェクター抗腫瘍Ｔ細胞活性を下方調節し、免疫回避を容易にすることが予期される。これは、ＰＤ−１／ＰＤ−Ｌ１発現と、胃癌、卵巣癌、肺癌および腎臓癌などの数種の腫瘍タイプにおける予後不良との関連の発見によって裏付けられている。ＰＤ−１は、黒色腫において腫瘍浸潤性Ｔリンパ球により優勢に発現されることが報告されている。
【００４５】
ＰＤ−１−特異的抗体によりＰＤ−１を遮断するｉｎ  ｖｉｔｒｏ試験では、ＩＦＮ−γ−分泌性抗原特異的細胞の頻度の増加を含む、メラノーマ特異抗原に対する細胞傷害性Ｔ細胞応答が増強することが示された。
【００４６】
いずれの理論にも拘束されるものではないが、ＰＤ−１を標的とすれば、がんに対する有効な治療戦略として作用し得るものと考えられる。
【００４７】
ＰＤ−１を臨床的に標的とする主たる方法は、ＰＤ−１またはＰＤ−Ｌ１の機能を阻害する遺伝子工学的に作出されたモノクロナール抗体の開発によるものであった。
【００４８】
ＰＤ−Ｌ１はまた、Ｂ７−１（ＣＤ８０）に結合することも示されており、これもＴ細胞増殖およびサイトカイン産生を抑制する相互作用であるが、がんにおけるＰＤ−Ｌ１：ＰＤ−１およびＰＤ−Ｌ１：Ｂ７−１経路の正確な相対的寄与率は不明確なままである。現在開発中のＰＤ−１標的化薬剤は、両方の経路を阻害する。しかしながら、ＰＤ−１およびＢ７−１の結合部位は隣接しているがオーバーラップしていないため、一方または他方を特異的に標的化する薬剤が開発される可能性がある。
【００４９】
がん細胞は、それらの表面上で高い発現レベルのＰＤ−Ｌ１を駆動させて、腫瘍微小環境に浸潤するあらゆるＴ細胞上で阻害性ＰＤ−１受容体を活性化させ、効果的にそれらの細胞をスイッチオフすることができる。実際に、ＰＤ−Ｌ１発現レベルの上方調節が、多くの様々ながんタイプで実証されており（例えば、黒色腫［４０％〜１００％］、ＮＳＣＬＣ［３５％〜９５％］、および多発性骨髄腫［９３％］）、高レベルのＰＤ−Ｌ１発現は、不良な臨床転帰との関連が示されている。さらに、腫瘍浸潤Ｔ細胞は、正常な組織に浸潤するＴ細胞より有意に高いレベルのＰＤ−１を発現することが示されている。腫瘍微小環境は、インターフェロン−ガンマ（ＩＦＮγ）などの炎症促進性サイトカインを分泌して、それらが腫瘍で発現された高レベルのＰＤ−Ｌ１に確実に応答できるように腫瘍浸潤Ｔ細胞上でのＰＤ−１の発現を上方調節する可能性があると考えられる。
【００５０】
ペンブロリズマブ
ペンブロリズマブは、安定化させるために操作されたＦｃ領域を有するヒトＩｇＧ４免疫グロブリン分子上にグラフト化された高親和性マウス抗ＰＤ−１由来の可変領域からなる、ヒト化モノクロナールＩｇＧ４抗ＰＤ−１抗体である。前臨床抗腫瘍活性が、複数の腫瘍型の動物モデルにおいて実証されている。ヒト初回、第Ｉ相用量漸増試験を、進行した難治性の悪性腫瘍を有する患者において、用量レベル１、３、および１０ｍｇ／ｋｇにおいて、初回、および４週間後、次に２週間毎に静脈内投与して実施した。認められた最大毒性は、グレード２の掻痒であり、薬物関連のグレード３またはそれよりも高い有害事象（ＡＥ）は認められなかった。したがって、最大耐用量には到達しなかった。半減期は、１３．６〜２１．７日であり、用量との関連性は明確ではなかった。患者４例において多少の腫瘍退化が生じた。次に、この試験を、非ランダム化コホートにおいて、２週間毎に１０ｍｇ／ｋｇまたは３週間毎に２もしくは１０ｍｇ／ｋｇでペンブロリズマブを受ける患者について拡大した；合計１３５例のメラノーマを有する患者が参加した。登録には、事前のイピリムマブを受けた患者４８例が含まれたが、免疫関連の重度有害事象（ｉｒＡＥ）を経験することはなかった。患者の７９％は、いくつかのＡＥを有したが、皮膚発疹または掻痒、疲労、下痢、腹痛、および肝機能障害を含む、重度（グレード３または４）の薬物関連の毒性を有した患者は１３％にすぎなかった。最高頻度（２３％）の重度毒性は、最高用量（２週間毎に１０ｍｇ／ｋｇ）を受けた患者に認められたのに対して、用量がそれほど高くないコホートでは＜１０％であった。自己免疫的と思われるＡＥとして、線維性肺炎、腎臓損傷、肝炎、下痢、甲状腺機能低下症、甲状腺機能亢進症、および副腎機能不全の孤立した事例が含まれた。免疫関連の応答基準に基づく奏効率（ＯＲＲ）は、３８％（１１７例中４４例）であり、さらなる患者８例が未確認の応答を経験した。合計７７％が、２４週間にわたり疾患が安定した患者８例を含め、ある程度の腫瘍退縮を認めた。大部分の応答は、１２週目の初回放射線学的評価時までに立証された。無増悪生存期間中央値は、７ヶ月まで伸びた。応答性腫瘍の生検は、ＣＤ８＋Ｔ細胞による密な浸潤を示した。事前にイピリムマブに曝露しても、有効性または毒性転帰に明らかな影響は有さないと思われた。
【００５１】
ＭＰＤＬ３２８０Ａ
ＭＰＤＬ３２８０Ａは、抗体依存性細胞傷害（ＡＤＣＣ）を最小化することによって効能および安全性を最適化するように設計された、操作された結晶化可能断片（Ｆｃ）ドメインを含有するヒト抗ＰＤ−Ｌ１  ｍＡｂである。いかなる具体的な理論にも縛られるつもりはないが、この構造は、有効な抗腫瘍免疫応答に必要な活性化Ｔ細胞のＡＤＣＣが媒介する枯渇を最小化しながら、ＰＤ−１／ＰＤ−Ｌ１相互作用の阻害を可能にすると理解されている。
【００５２】
ＭＰＤＬ３２８０Ａは、局所進行性または転移性の固形腫瘍を有する患者での第Ｉ相試験において評価されている。これまで合計１７５人の患者が採用されてきた。抗体を、単一の薬剤として、１２７日の期間中央値において≦１、３、１０、１５、および２０ｍｇ／ｋｇの漸増用量で投与した。２つの拡大コホート；扁平上皮または非扁平ＮＳＣＬＣを有する８５人の患者のコホート（そのうち５３人が効能について評価可能であった）および４５人の転移性黒色腫患者のコホート（そのうち３５人が効能について評価可能であった）の結果も報告されている。両方のコホートにおいて、３週間毎に１年まで、≦１、１０、１５、および２５ｍｇ／ｋｇのＭＰＤＬ３２８０Ａの用量を投与した。ＭＰＤＬ３２８０Ａは、持続的応答を実証し、十分に忍容された；有効性のデータを表１にまとめる。ＮＳＣＬＣコホート中の８５人の患者のうち、５５％が少なくとも３回の先行療法で強い強度で前処置を受けており、８１％が喫煙者または元喫煙者であり、１９％が喫煙未経験者であった。２４週のＰＦＳ率は、扁平上皮細胞ＮＳＣＬＣでは４４％、非扁平上皮細胞ＮＳＣＬＣでは４６％であった。
【００５３】
エキセメスタン
エキセメスタンは、乳がんを処置するために使用される薬物である。エキセメスタンは、アロマターゼ阻害剤として知られている薬物のクラスのメンバーである。一部の乳がんは、増殖するためにホルモンを必要とする。ホルモン受容体陽性乳がんとして知られているそれらのがんは、エストロゲン受容体（ＥＲ）またはプロゲステロン受容体（ＰＲ）を発現し、したがってＥＲ陽性またはＰＲ陽性乳がんと呼ばれる。エストロゲンの主要供給源は、閉経前の女性では卵巣であるが、一方、閉経後の女性の場合、身体のエストロゲンのほとんどは、末梢組織、例えば乳房脂肪組織および脳内で、アロマターゼ酵素がアンドロゲンをエストロゲンに変換することにより産生される。エキセメスタンは、閉経後の女性において、手術または放射線に加えてＥＲ陽性乳がんで使用されるアロマターゼ阻害剤である。エキセメスタンは、不可逆性の経口ステロイド系アロマターゼ不活化剤であり、天然基質のアンドロステンジオンと構造的に関連する。エキセメスタンは、アロマターゼ酵素に対する偽の基質として作用し、処理を受けてアロマターゼ活性部位に不可逆的に結合する中間体となり、自殺的阻害によりアロマターゼを遮断する。
【化２】
2018527570.tif 000004
【００５４】
エキセメスタンは、タモキシフェンを２〜３年受けた初期のＥＲ陽性乳がんを有する閉経後の女性のアジュバント処置のために適応される。被験体は、合計５年連続のアジュバントホルモン療法を完了するためにエキセメスタンに切替える。また、エキセメスタンは、疾患がタモキシフェン療法後に進行した閉経後の女性において、進行した乳がんの処置にも適応される。１日当たり２５ｍｇで、２〜３年間行われるアジュバント療法の経口エキセメスタンは、ＥＲ陽性または受容体の状態が不明の初期段階乳がんを有する閉経後の女性の処置において、５年連続のアジュバントタモキシフェンよりも一般的に有効であった。また、１日当たりの２５ｍｇのエキセメスタンは、閉経後の女性における初期段階乳がんの一次アジュバント療法においても有効である。
【００５５】
肺がん
肺がんは、米国内および世界全体のいずれにおいても、女性および男性の主たるがん死亡原因である。肺がんは、女性の主たるがん死亡原因として、乳がんを凌駕する。２０１４年の米国内では、１５８，０４０名が肺がんによって死亡すると予測され、結腸および直腸のがん、乳がん、ならびに前立腺がんによる死亡数の合計を上回る。最初期段階において診断された肺がんの生存率は高めで、およそ４９％が５年またはそれより長く生存するものの、身体の他の部位に広がった肺がんと診断された者では、約２％が診断から５年後に生存するに過ぎない。
【００５６】
正常細胞が制御無しにその成長および増殖を引き起こす変換を受けたときに、がんが生ずる。細胞は、それが発生した周辺組織と異なる塊または腫瘍を形成する。腫瘍は、健常細胞から酸素、栄養分、および空間を奪うので、かつ浸潤し、正常組織が機能する能力を破綻または低下させるので危険である。
【００５７】
大半の肺腫瘍は悪性である。これは、腫瘍がその周辺の健康な組織に浸潤し、それを破壊し、身体全体を通じて広がる可能性があることを意味する。腫瘍は、近隣のリンパ節に、または血流を通じて他の臓器に広がる可能性がある。このプロセスは転移と呼ばれる。肺がんが転移したとき、肺内の腫瘍は原発腫瘍と呼ばれ、身体の他の部分の腫瘍は、続発性腫瘍または転移性腫瘍と呼ばれる。
【００５８】
一部の肺内の腫瘍は、身体内の別の場所にあるがんからの転移である。肺は、転移の一般的な部位である。この場合には、がんは、肺がんとはみなされない。例えば、前立腺がんが血流により肺に広がった場合には、それは肺内の転移性前立腺がん（続発性のがん）であり、肺がんとは呼ばれない。
【００５９】
肺がんは、異なる種類の腫瘍の群を含む。肺がんは、全症例の約９５％を占める２つの主要な群に通常分割される。群への分割は、がんを構成する細胞の種類に基づく。２つの主要な種類の肺がんが、顕微鏡下で観察したときの腫瘍の細胞サイズにより特徴付けられる。それらは、小細胞肺がん（ＳＣＬＣ）および非小細胞肺がん（ＮＳＣＬＣ）と呼ばれる。ＮＳＣＬＣには、いくつかの腫瘍のサブタイプが含まれる。ＳＣＬＣはあまり一般的ではないが、より急速に増殖し、ＮＳＣＬＣよりも転移する可能性が高い。多くの場合、ＳＣＬＣは、がんと診断されたときに身体の他の部分にすでに広がっている。約５％の肺がんが、カルチノイド腫瘍、リンパ腫等を含む稀な細胞型を有する。本明細書で使用する場合、用語「肺がん」には、ＳＣＬＣ、ＮＳＣＬＣ、カルチノイド腫瘍、リンパ腫、およびその様々なサブタイプが含まれるが、これらに限定されない。
【００６０】
骨髄由来のサプレッサー細胞は、肺がんにおいていくつかの重要な機能を有する。前臨床的には、マウスモデルにより、骨髄由来のサプレッサー細胞と肺腫瘍は、疾患の発端および進行の過程で共進化することが実証されている。臨床的ＮＳＣＬＣでは、循環性骨髄由来のサプレッサー細胞の数は、全生存と逆に相関することが明らかにされている。Ｍ−ＭＤＳＣは、活性酸素種を生成し、Ｔ細胞の増殖を阻害し、インターフェロン−γ（ＩＦＮ−γ）を分泌することが明らかにされている。循環性骨髄由来のサプレッサー細胞のレベルおよびその活性の上昇は、治療応答と逆の相関を示し、ＮＳＣＬＣの再発と正に相関する。
【００６１】
非小細胞肺がん
ＮＳＣＬＣは、小細胞癌（燕麦細胞癌）型に該当しない肺のがんである。用語「非小細胞肺がん」は、様々な種類の気管支原性癌（気管支の内層に起因する癌）に適用される。特別な種類のＮＳＣＬＣの例として、腺癌、扁平上皮癌、および大細胞がん（すなわち、大細胞未分化癌）が挙げられるが、これらに限定されない。
【００６２】
腺癌は、臓器の内層または内面に発現するがんである。腺癌は、最も一般的な種類の肺がんであり、肺がんの全症例の３０％〜４０％を占める。腺癌のサブタイプは、気管支肺胞細胞癌と呼ばれ、胸部Ｘ線では肺炎様の外観を呈する。
【００６３】
扁平上皮癌は、扁平上皮細胞において始まるがんである。扁平上皮細胞（ｓｑｕａｍｏｓ  ｃｅｌｌ）は、顕微鏡下では魚鱗のように見える、薄く扁平な細胞である。扁平上皮細胞は、身体の中空臓器の内層である皮膚の表面、および気道および消化管の通路を形成する組織内に見出される。扁平上皮癌は、これらの組織のいずれにも発生し得る。扁平上皮癌は、２番目に最も一般的な種類の肺がんであり、全症例の約３０％を占める。
【００６４】
大細胞癌は、扁平上皮または腺の成熟のエビデンスを示さない。したがって、これらの腫瘍では、多くの場合、すべての他の可能性が排除される場合、既定により診断が下される。これらの腫瘍は、生検前には、その診断を示唆するようなあらゆる診断上の特徴を欠く。これらは、急速に増殖し、早期に転移する傾向を有し、喫煙と強く関連する。大細胞腫瘍は、通常、大型で、かさ高く、境界明瞭な、灰色がかったピンク色の塊であり、広範な出血および壊死を伴う。これらは、一般的に中心壊死を有するが、稀に空洞形成する。これらは、中央から末梢の肺領域中に存在する傾向を有する。これらは、区域気管支または亜区域気管支を含めて局所的に広がる場合もある。大細胞癌の改変体として、巨細胞癌がある。このサブタイプは特に侵襲的であり、予後も極めて不良である。これらの腫瘍は、大型の末梢性の塊として一般的に存在し、局所的な壊死性成分を有する。これらの腫瘍は、直接広がらない限り、太い気道とは関係しない。大細胞がんは、肺がんの全症例の１０％〜２０％を占める。
【００６５】
メラノーマ
メラノーマは、メラニン色素を作製する細胞であり、神経堤に由来するメラニン形成細胞の悪性腫瘍である。大半のメラノーマは皮膚に発生するが、粘膜表面またはぶどう膜を含む、神経堤細胞が移動する他の部位にも生ずる可能性がある。ぶどう膜メラノーマは、発生数、予後因子、分子的特徴、および処置において、皮膚のメラノーマとは顕著に異なる。
【００６６】
２０１４年の米国内では、９，７１０名がメラノーマにより死亡すると予測され、新規症例数は７６，１００例に登ると見積もられた。皮膚がんは、米国内で診断が下された最も一般的な悪性疾患であり、毎年、２百万人において３．５百万個のがんが診断されている。メラノーマは、皮膚がんのうち５％未満を占めるに過ぎないが、最も多くの死亡を引き起こす。発生数は、過去４０年間にわたり増加している。高齢の男性が最も高いリスクに晒されている；ただし、メラノーマが２５〜２９歳の若年成人における最も一般的ながんであり、１５〜２９歳の若年者における２番目に最も一般的ながんである。眼のメラノーマが、最も一般的な眼のがんであり、毎年、およそ２，０００症例が診断を下される。
【００６７】
メラノーマは、主として成人に生ずるが、症例の５０％超が、皮膚の見かけ上正常な領域に発生する。メラノーマは粘膜表面やぶどう膜を含む、あらゆる場所に生ずる可能性があるが、女性では、メラノーマは、四肢により一般的に生じ、また男性では、体幹または頭頸部上に最も一般的に生ずる。
【００６８】
予後は、原発性および転移性の腫瘍の特徴により影響を受ける。最も重要な予後因子として、メラノーマの厚さまたは浸潤レベル、１ミリメーター当たりの有糸分裂として定義された分裂指数、原発部位における潰瘍形成または出血、マクロ転移およびミクロ転移の特質を備えた関係する局部リンパ節の数、全身転移、部位−非内臓  対  肺  対  他のすべての内臓部位、血清乳酸脱水素酵素レベルの上昇が挙げられるが、これらに限定されない。いずれの理論にも拘束されるものではないが、腫瘍浸潤リンパ球の存在は、潜在的な予後因子であり得ると考えられる。
【００６９】
骨髄由来のサプレッサー細胞は、メラノーマにおいていくつかの重要な臨床的相関を有することが明らかにされている。臨床では、循環性Ｍ−ＭＤＳＣおよびＰＭＮ−ＭＤＳＣのレベルは、悪性メラノーマにおける疾病負荷と正に相関する。後期段階メラノーマ（段階３〜４）を有する患者は、より高レベルの循環性Ｍ−ＭＤＳＣを有する。Ｍ−ＭＤＳＣの循環レベルは、進行したメラノーマにおける全生存と逆に相関する。Ｍ−ＭＤＳＣの循環レベルは、進行したメラノーマを有する患者における活性化抗原特異的Ｔリンパ球のレベル低下と逆に相関する。Ｍ−ＭＤＳＣおよびＰＭＮ−ＭＤＳＣの活性化の低下は、イピリムマブ（ipilumimab）で処置されたメラノーマ患者における治療応答の改善と正に相関する。イピリムマブ処置は、循環性ＰＭＮ−ＭＤＳＣのレベルを低下させることも示されている。
乳がん
【００７０】
乳がんは、乳房組織から発症するがんである。乳がんの兆候として、乳房内のしこり、乳房形状の変化、皮膚の陥凹形成、乳首からの液漏出、または皮膚の鱗状の紅斑を挙げることができる。疾患が遠隔転移した患者において、骨痛、リンパ節腫脹、呼吸困難、または黄疸を認める場合がある。乳がんの転帰は、癌型、疾患の範囲、および被験体の年齢に応じて変化する。世界的には、乳がんは、女性におけるがんの主要タイプであり、全症例の２５％を占める。２０１２年には、１億６８００万件の症例、および５２２，０００件の死亡が生じた。先進国でより一般的であり、男性よりも女性において１００倍超より一般的である。乳がんは、いくつかの評定システムにより分類される。これらのシステムのそれぞれは、予後を左右する可能性があり、処置にも影響を及ぼし得る。乳がんは、通常、その組織学的外観により主に分類される。ほとんどの乳がんは、腺管または小葉の内壁を覆う上皮に由来し、これらのがんは、腺管癌または小葉癌として分類される。非浸潤性の癌腫は、低グレードのがん性または前がん状態の細胞が、特定の組織コンパートメント、例えば乳腺管内で、周辺組織への浸潤を伴わずに増殖することである。対照的に、浸潤癌は、最初の組織コンパートメントにそれ自体を限局させない。
【００７１】
ＴＮＭシステムを使用する乳がんのステージ分類は、腫瘍（Ｔ）のサイズ、腫瘍が隣接したリンパ節（Ｎ）まで広がっているかどうか、および腫瘍が身体のより遠隔部位に転移（Ｍ）しているかどうかに基づく。より大きなサイズ、節浸潤、および転移は、より大きなステージ番号およびより不良な予後を有する。主たるステージは、ステージ０、ステージ１〜３、およびステージ４である。ステージ０は、前がんまたはマーカー状態、すなわち非浸潤性腺管癌（ＤＣＩＳ）または非浸潤性小葉癌（ＬＣＩＳ）である。ステージ１〜３は、乳房または局部リンパ節内に留まる。ステージ４は、予後があまり好ましくない転移がんである。
【００７２】
乳がん細胞は、その表面上ならびにその細胞質および核内に受容体を有する。化学的メッセンジャー、例えばホルモンは、受容体に結合するが、これは細胞において変化を引き起こす。乳がん細胞は、３つの重要な受容体：エストロゲン受容体（ＥＲ）、プロゲステロン受容体（ＰＲ）、およびＨＥＲ２を有する場合と、有さない場合がある。これより、乳がんは、ホルモン受容体陽性乳がんまたはＥＲ−／ＰＲ陽性乳がん、ＨＥＲ２陽性乳がん、およびＥＲ、ＰＲ、およびＨＥＲ２について陰性である三種陰性乳がんに分割される。
【００７３】
骨髄由来のサプレッサー細胞は、乳がんにおいていくつかの重要な臨床的相関を有することが示されている。乳がんの前臨床モデルでは、骨髄由来のサプレッサー細胞のレベルは、腫瘍サイズと正の相関し、Ｔ細胞と逆に相関する。臨床では、循環性骨髄由来のサプレッサー細胞のベースラインレベルは、転移性乳がんにおける疾病負荷、転移拡散、および生存率の低下と相関する。循環性骨髄由来のサプレッサー細胞のベースラインレベルは、ＨＥＲ２陰性乳がんにおけるアジュバント化学療法に対する応答と相関することが示されており、レベルの増加は化学療法に対するより不良な応答を示す。
ホルモン受容体陽性乳がん
【００７４】
ホルモン、例えばエストロゲンおよびプロゲステロンは、ホルモン受容体陽性であるがんの増殖を促進する。乳がん３例のうち約２例は、ホルモンのエストロゲン（ＥＲ陽性乳がん）またはプロゲステロン（ＰＲ陽性乳がん）に対する受容体を含有するので、ホルモン受容体陽性である。これらの乳がんは、増殖に関してホルモンに依存するので、療法は、乳がん細胞のエストロゲンレベルを低下させるか、またはエストロゲン活性を停止させるように設計されてきた。
【００７５】
エストロゲン活性を停止させる療法の非限定的な例として、タモキシフェン、トレミフェン、およびフルベストラントが挙げられる。タモキシフェンは、エストロゲンが乳がん細胞内でエストロゲン受容体に結合するのを遮断する。タモキシフェンは、乳房細胞内で抗エストロゲンのように作用するが、子宮および骨等のその他の組織内ではエストロゲンのように機能する。タモキシフェンは、いくつかの組織内ではエストロゲンのように作用するが、別の組織内では抗エストロゲンのように作用するので、選択的エストロゲン受容体モジュレーター（ＳＥＲＭ）と呼ばれる。トレミフェンは、転移性乳がんの処置について承認されている別のＳＥＲＭである。フルベストラントは、エストロゲン受容体を最初に遮断し、その分解を引き起こすきっかけとなる薬物である。フルベストラントは、身体全体を通じて抗エストロゲンのように作用するので、ＳＥＲＭではない。その他のホルモン療法後、例えば、タモキシフェンが効かなくなった後に、フルベストラントが、転移性乳がんを処置するために使用される。
【００７６】
アロマターゼ阻害剤（ＡＩ）は、閉経後の女性において、エストロゲン産生を遮断するように機能する。アロマターゼ阻害剤は、脂肪組織および脳で生成したアンドロゲンを変換するアロマターゼを遮断することにより作動する。アロマターゼ阻害剤の非限定的な例として、レトロゾール、アナストロゾール、およびエキセメスタンが挙げられる。
【００７７】
三種陰性乳がん
三種陰性乳がんは、エストロゲン受容体（ＥＲ）、プロゲステロン受容体（ＰＲ）、またはＨＥＲ−２遺伝子を発現しない腫瘍によって特徴付けられ、これらのがんは内分泌療法または他の利用可能な標的化薬剤に応答しないことから、重要な臨床的課題の１つである。三種陰性乳がんにおける転移可能性は、他の乳がんサブタイプの転移可能性に類似しているが、これらの腫瘍は、より短い再発および死亡までの期間中央値を伴う。したがって、１つの重要な目標は、特定の薬剤に対して差次的な応答性を有するサブタイプの異なる処置アプローチに関して、三種陰性疾患を有する患者の高いおよび低いリスクのサブセットを確実に選択するための予後因子およびマーカーを同定することである。しかしながら、信頼できる予後マーカーは見つけにくく、マーカーの有用性は一貫性がない。例えば、上皮増殖因子受容体（ＥＧＦＲ）が研究されているが、予後に関する標準的アッセイまたはＥＧＦＲ発現レベルのカットオフについて未だ一致が見られない。同様に、三種陰性のステータスは、時には基底様乳がんの代用として使用されるため、特異的な基底試験マーカーが調査されている。実際に、ＥＲ／ＰＲおよびＨＥＲ−２陰性を使用して基底様乳がんを有する患者を集めるように設計された試験は、三種陰性集団に近いものしか提供できず、時にはＣＫ５／６、ＥＧＦＲステータス等のようなより特異的なインジケーターを使用して再分析されるが、それでも不一致に見舞われる。
【００７８】
化学療法が三種陰性乳がん処置の頼みの綱であり続けているが、たとえ顕著な臨床上の進歩がなされたとしても、なお数年以内に重要な制限を克服する必要がある。現在の三種陰性疾患の処置戦略としては、アントラサイクリン、タキサン、イキサベピロン、白金剤、および生物学的薬剤が挙げられる。つい最近になって、三種陰性乳がんにおける治療メカニズムとしてＥＧＦＲ阻害が提唱されているが、ここでも結果は一貫していない。また、ポリ（ＡＤＰ−リボース）ポリメラーゼおよびアンドロゲン受容体を標的化する薬剤もこれらの患者またはそれらのサブセットにおいて提唱されており、進行中の試験から、三種陰性疾患におけるこれらの薬剤の価値に関して確定的な指針がもたらされると予想される。三種陰性乳がんは、明らかに、ＥＲおよびＨＥＲ−２発現の両方の観点から別個の臨床サブタイプであるが、さらなる下位分類が必要である。今のところ、三種陰性乳がんの決定的な弱点を標的化する、明確な、証明済みの有効な単一の薬剤はない。
【００７９】
三種陰性乳がんの様々なサブタイプとしては、基底様ＴＮＢＣ（基底様１および２（ＢＬ−１、ＢＬ−２）、免疫調節（ＩＭ））および間葉系幹細胞様三種陰性乳がん（ＭＳＬ）、および管腔アンドロゲン受容体（ＬＡＲ）サブタイプが挙げられる。
【００８０】
ＰＤ−Ｌ１は、腎細胞癌、膵臓がん、卵巣がん、胃がん、食道がん、および肝細胞癌などの多くのがんで発現される。調査によれば、５０％（乳がん研究で評価した４４種の腫瘍のうち２２種）でＰＤ−Ｌ１の発現が確認された。１５種（３４％）において、発現は腫瘍上皮に限定されたが、それに対して１８種（４１％）において腫瘍浸潤リンパ球で確認された。さらに、ＰＤ−Ｌ１の腫瘍内発現は、高い組織学的グレードおよび陰性ホルモン受容体のステータスに関連することが見出された。別の研究でも、以前の研究と一致して、ＴＮＢＣ腫瘍のおよそ２０％がＰＤ−Ｌ１を発現することがあった。これらのＴＮＢＣ腫瘍の大多数（９５％）がグレード３であった。
【００８１】
いかなる具体的な理論にも縛られるつもりはないが、腫瘍がＰＤ−Ｌ１発現を駆動させることができる可能性のあるメカニズムは、腫瘍形成性のシグナル伝達経路によるという仮説が立てられる。これは、ＰＴＥＮ損失がＰＤ−Ｌ１発現増加に関連することが観察された膠芽腫で最初に実証され、ＰＩ３Ｋ経路の関与が示唆される。ＰＴＥＮ損失はＴＮＢＣで一般的に見られるため、ＰＴＥＮとＰＤ−Ｌ１発現との関係を研究で調査した。＞５％のＰＤ−Ｌ１発現がある乳がん組織マイクロアレイに含まれるＴＮＢＣ腫瘍のおよそ５０％において、ＰＴＥＮ染色の損失が観察された。同様に、ＴＮＢＣ細胞株のパネルにおいて、ＰＴＥＮ損失を示す２つの例示的な細胞株、ＭＤＡ−ＭＢ−４６８およびＢＴ−５４９は、高い細胞表面におけるＰＤ−Ｌ１発現を有していたことが見出された。まとめると、これらのデータから、ＴＮＢＣには、ＰＤ−Ｌ１調節の複数のメカニズムが存在する可能性があることが示唆された。
【００８２】
併用療法について患者を選択する方法
ある特定の実施形態では、本開示の方法は、骨髄由来のサプレッサー細胞および末梢血液単核細胞を測定して、がんと診断された患者に、エンチノスタットと第２の治療剤とを含む併用療法の投与を決定することを含む。一部の実施形態では、方法は、骨髄由来のサプレッサーと末梢血液単核細胞との比が１：２００から１：４の間にある場合に、併用療法について患者を選択することをさらに含む。
【００８３】
ある特定の実施形態では、本開示の方法は、ＣＤ１４陽性かつＨＬＡ−ＤＲ−（ｌｏ／陰性）細胞を測定し、ＣＤ１４陽性細胞を測定し、または末梢血液単核細胞を測定して、がんと診断された患者に、エンチノスタットと第２の治療剤とを含む併用療法の投与を決定することを含む。一部の実施形態では、方法は、ＣＤ１４陽性かつＨＬＡ−ＤＲ−（ｌｏ／陰性）細胞と末梢血液単核細胞との比が、１：２００から１：１の間にある場合に、併用療法について患者を選択することをさらに含む。一部の実施形態では、方法は、ＣＤ１４陽性かつＨＬＡ−ＤＲ−（ｌｏ／陰性）細胞とＣＤ１４陽性細胞との比が、１：１００から９９：１の間にある場合に、併用療法について患者を選択することをさらに含む。
【００８４】
第２の治療剤の非限定的な例として、抗ＰＤ−１抗体、例えば、ニボルマブおよびペンブロリズマブ；抗ＰＤ−Ｌ１抗体、例えばＭＰＤＬ３２８０Ａ；ならびにエキセメスタンが挙げられる。がんの非限定的な例として、乳がん、例えば、ホルモン受容体陽性乳がんおよび三種陰性乳がん；肺がん、例えば、非小細胞性肺がん、扁平上皮癌、および大細胞癌；ならびにメラノーマ、例えば、転移性メラノーマが挙げられる。一部の実施形態では、第２の治療剤はＭＰＤＬ３２８０Ａであり、がんは乳がんである。一部の実施形態では、第２の治療剤はＭＰＤＬ３２８０Ａであり、乳がんは三種陰性乳がんである。一部の実施形態では、第２の治療剤はエキセメスタンであり、がんは乳がんである。一部の実施形態では、第２の治療剤はエキセメスタンであり、乳がんはホルモン受容体陽性乳がんである。
【００８５】
一部の実施形態では、エンチノスタットおよびエキセメスタンは、経口投与される。一部の実施形態では、エンチノスタットは、経口投与され、抗ＰＤ−１抗体または抗ＰＤ−Ｌ１抗体は、輸液により投与される。輸液の非限定的な例として、皮下輸液、静脈内輸液、腹腔内輸液、および浸透圧ポンプによる輸液が挙げられる。
【００８６】
一部の実施形態では、エンチノスタットは、併用療法において最初に投与される。一部の実施形態では、エンチノスタットは、毎週投与される。一部の実施形態では、エンチノスタットは、２週毎に投与される。
【００８７】
エンチノスタット、エキセメスタン、抗ＰＤ−１抗体、または抗ＰＤ−Ｌ１抗体は、約毎日、約２日毎に、約３日毎に、約４日毎に、約５日毎に、約６日毎に、約毎週、約２週毎に、約３週毎に、約４週毎に、約毎月、約５週毎に、約６週毎に、約７週毎に、約８週毎に、または約２ヶ月毎に投与可能である。エンチノスタット、エキセメスタン、抗ＰＤ−１抗体、または抗ＰＤ−Ｌ１抗体は、約毎日〜約２日毎に、約２日毎〜約３日毎に、約３日毎〜約４日毎に、約４日毎〜約５日毎に、約５日毎〜約６日毎に、約６日毎〜約毎週、約毎週〜約２週毎に、約２週毎〜約３週毎に、約３週毎〜約４週毎に、約４週毎〜約毎月、約毎月〜約５週毎に、約５週毎〜約６週毎に、約６週毎〜約７週毎に、約７週毎〜約８週毎に、または約８週毎〜約２ヶ月毎に投与可能である。
【００８８】
一部の実施形態では、骨髄由来のサプレッサー細胞および末梢血液単核細胞は循環性であり、末梢血液試料を取得することにより、末梢血液中でそれぞれ測定される。一部の実施形態では、ＣＤ１４陽性かつＨＬＡ−ＤＲ−（ｌｏ／陰性）細胞、ＣＤ１４陽性細胞、および末梢血液単核細胞は、循環性であり、末梢血液試料を取得することにより末梢血液中でそれぞれ測定される。一部の実施形態では、末梢血液試料は、抗凝固剤で処置される。一部の実施形態では、末梢血液試料は、抗凝固剤含有容器内に収集される、または移される。抗凝固剤の非限定的な例として、ヘパリン、ヘパリンナトリウム、シュウ酸カリウム、ＥＤＴＡ、およびクエン酸ナトリウムが挙げられる。一部の実施形態では、末梢血液試料は、赤血球溶解剤で処置される。一部の実施形態では、骨髄由来のサプレッサー細胞および末梢血液単核細胞は、組織生検中で測定される。
【００８９】
一部の実施形態では、骨髄由来のサプレッサー細胞および末梢血液単核細胞の数は、末梢血液試料中で測定され、末梢血液単核細胞に対する骨髄由来のサプレッサー細胞の百分率が決定される。一部の実施形態では、末梢血液試料から得た１つまたは複数の骨髄由来のサプレッサー細胞は、第１の結合剤と接触して、１つまたは複数の第１の結合剤−骨髄由来のサプレッサー細胞複合体を生成する。一部の実施形態では、末梢血液試料由来の１つまたは複数の末梢血液単核細胞は、第２の結合剤と接触して、１つまたは複数の第２の結合剤−末梢血液単核細胞複合体を生成する。一部の実施形態では、末梢血液試料中の、第２の結合剤−末梢血液単核細胞複合体に対する第１の結合剤−骨髄由来のサプレッサー細胞複合体の百分率が測定される。
【００９０】
一部の実施形態では、末梢血液単核細胞に対する骨髄由来のサプレッサー細胞の百分率、または末梢血液試料中もしくは組織生検中の第１の結合剤−骨髄由来のサプレッサー細胞複合体および第２の結合剤−末梢血液単核細胞複合体の百分率が、エンチノスタットと第２の治療剤とを含む併用療法を投与するために患者を選択するのに利用される。
【００９１】
一部の実施形態では、骨髄由来のサプレッサーもしくは末梢血液単核細胞の百分率、または末梢血液試料中もしくは組織生検中の、第１の結合剤−骨髄由来のサプレッサー細胞複合体および第２の結合剤−末梢血液単核細胞複合体の百分率は、少なくとも約０．１％、少なくとも約０．２％、少なくとも約０．３％、少なくとも約０．４％、少なくとも約０．５％、少なくとも約０．６％、少なくとも約０．７％、少なくとも約０．８％、少なくとも約０．９％、少なくとも約１％、少なくとも約１．１％、少なくとも約１．２％、少なくとも約１．３％、少なくとも約１．４％、少なくとも約１．５％、少なくとも約１．６％、少なくとも約１．７％、少なくとも約１．８％、少なくとも約１．９％、少なくとも約２％、少なくとも約３％、少なくとも約４％、少なくとも約５％、少なくとも約６％、少なくとも約７％、少なくとも約８％、少なくとも約９％、少なくとも約１０％、少なくとも約１１％、少なくとも約１２％、少なくとも約１３％、少なくとも約１４％、少なくとも約１５％、少なくとも約１６％、少なくとも約１７％、少なくとも約１８％、少なくとも約１９％、少なくとも約２０％、少なくとも約２１％、少なくとも約２２％、少なくとも約２３％、少なくとも約２４％、少なくとも約２５％、少なくとも約３０％、少なくとも約３５％、少なくとも約４０％、少なくとも約４５％または少なくとも約５０％である。
【００９２】
一部の実施形態では、末梢血液単核細胞に対する骨髄由来のサプレッサー細胞の百分率、または末梢血液試料もしくは組織生検骨髄由来のサプレッサー細胞中の第１の結合剤−骨髄由来のサプレッサー細胞複合体および第２の結合剤−末梢血液単核細胞複合体の百分率は、約０．１％〜約０．２％、約０．２％〜約０．３％、約０．３％〜約０．４％、約０．４％〜約０．５％、約０．５％〜約０．６％、約０．６％〜約０．７％、約０．７％〜約０．８％、約０．８％〜約０．９％、約０．９％〜約１％、約１％〜約１．１％、約１．１％〜約１．２％、約１．２％〜約１．３％、約１．４％〜約１．５％、約１．５％〜約１．６％、約１．６％〜約１．７％、約１．７％〜約１．８％、約１．８％〜約１．９％、約１．９％〜約２％、約２％〜約３％、約３％〜約４％、約４％〜約５％、約５％〜約６％、約６％〜約７％、約７％〜約８％、約８％〜約９％、約９％〜約１０％、約１０％〜約１１％、約１１％〜約１２％、約１２％〜約１３％、約１３％〜約１４％、約１４％〜約１５％、約１５％〜約１６％、約１６％〜約１７％、約１７％〜約１８％、約１８％〜約１９％、約１９％〜約２０％、約２０％〜約２１％、約２１％〜約２２％、約２２％〜約２３％、約２３％〜約２４％、約２４％〜約２５％、約２５％〜約３０％、約３０％〜約３５％、約３５％〜約４０％、約４０％〜約４５％または約４５％〜約５０％である。
【００９３】
一部の実施形態では、骨髄由来のサプレッサー細胞および末梢血液単核細胞の数は、末梢血液試料中で測定され、骨髄由来のサプレッサー細胞と末梢血液単核細胞との比が決定される。一部の実施形態では、末梢血液試料から得た１つまたは複数の骨髄由来のサプレッサー細胞は、第１の結合剤と接触して、１つまたは複数の第１の結合剤−骨髄由来のサプレッサー細胞複合体を生成する。一部の実施形態では、末梢血液試料から得た１つまたは複数の末梢血液単核細胞は、第２の結合剤と接触して、１つまたは複数の第２の結合剤−末梢血液単核細胞複合体を生成する。一部の実施形態では、末梢血液試料中の第１の結合剤−骨髄由来のサプレッサー細胞複合体と第２の結合剤−末梢血液単核細胞複合体との比が測定される。一部の実施形態では、骨髄由来のサプレッサー細胞と末梢血液単核細胞との比、または第１の結合剤−骨髄由来のサプレッサー細胞複合体と第２の結合剤−末梢血液単核細胞複合体との比は、エンチノスタットと第２の治療剤とを含む併用療法を投与するために患者を選択するために利用される。
【００９４】
一部の実施形態では、第１の結合剤−骨髄由来のサプレッサー細胞複合体と第２の結合剤−末梢血液単核細胞複合体との比は、エンチノスタットと第２の治療剤とを含む併用療法を投与するために患者を選択するために利用される。
【００９５】
一部の実施形態では、骨髄由来のサプレッサー細胞と末梢血液単核細胞との比、または末梢血液試料中もしくは組織生検中の第１の結合剤−骨髄由来のサプレッサー細胞複合体と第２の結合剤−末梢血液単核細胞複合体との比は、１：１００００、１：５０００、１：４０００、１：３０００、１：２０００、１：１０００、１：５００、１：４００、１：３００、１：２５０、１：２００、１：１５０、１：１００、１：９０、１：８０、１：７０、１：６０、１：５０、１：４９、１：４８、１：４７、１：４６、１：４５、１：４４、１：４３、１：４２、１：４１、１：４０、１：３９、１：３８、１：３７、１：３６、１：３５、１：３４、１：３３、１：３２、１：３１、１：３０、１：２９、１：２８、１：２７、１：２６、１：２５、１：２４、１：２３、１：２２、１：２１、１：２０、１：１９、１：１８、１：１７、１：１６、１：１５、１：１４、１：１３、１：１２、１：１１、１：１０、１：９、１：８、１：７、１：６、１：５、１：４、１：３、１：２または１：１である。
【００９６】
一部の実施形態では、骨髄由来のサプレッサー細胞と末梢血液単核細胞との比、または末梢血液試料中もしくは組織生検中の第１の結合剤−骨髄由来のサプレッサー細胞複合体と第２の結合剤−末梢血液単核細胞複合体との比は、１：１００００〜１：５０００、１：５０００〜１：４０００、１：４０００〜１：３０００、１：３０００〜１：２０００、１：２０００〜１：１０００、１：１０００〜１：５００、１：５００〜１：４００、１：４００〜１：３００、１：３００〜１：２００、１：２００〜１：１００、１：１００〜１：９０、１：９０〜１：８０、１：８０〜１：７０、１：７０〜１：６０、１：６０〜１：５０、１：５０〜１：４９、１：４９〜１：４８、１：４８〜１：４７、１：４７〜１：４６、１：４６〜１：４５、１：４５〜１：４４、１：４４〜１：４３、１：４３〜１：４２、１：４２〜１：４１、１：４１〜１：４０、１：４０〜１：３９、１：３９〜１：３８、１：３８〜１：３７、１：３７〜１：３６、１：３６〜１：３５、１：３５〜１：３４、１：３４〜１：３３、１：３３〜１：３２、１：３２〜１：３１、１：３１〜１：３０、１：３０〜１：２９、１：２９〜１：２８、１：２８〜１：２７、１：２７〜１：２６、１：２６〜１：２５、１：２５〜１：２４、１：２４〜１：２３、１：２３〜１：２２、１：２２〜１：２１、１：２１〜１：２０、１：２０〜１：１９、１：１９〜１：１８、１：１８〜１：１７、１：１７〜１：１６、１：１６〜１：１５、１：１５〜１：１４、１：１４〜１：１３、１：１３〜１：１２、１：１２〜１：１１、１：１１〜１：１０、１：１０〜１：９、１：９〜１：８、１：８〜１：７、１：７〜１：６、１：６〜１：５、１：５〜１：４、１：４〜１：３、１：３〜１：２または１：２〜１：１である。
【００９７】
一部の実施形態では、生体試料の単位体積当たりの骨髄由来のサプレッサー細胞の数が決定される。単位体積の非限定的な例として、ピコリットル（ｐＬ）、ナノリットル（ｎＬ）、マイクロリットル（μＬ）、ミリリットル（ｍＬ）、デシリットル（ｄＬ）、およびリットル（Ｌ）が挙げられる。一部の実施形態では、末梢血液試料から得たいくつかの骨髄由来のサプレッサー細胞は、結合剤と接触して、単位体積当たり、いくつかの結合剤−骨髄由来のサプレッサー細胞複合体を生成する。一部の実施形態では、生体試料の単位体積当たりの骨髄由来のサプレッサー細胞または結合剤−骨髄由来のサプレッサー細胞複合体の数が、エンチノスタットと第２の治療剤とを含む併用療法を投与するために患者を選択するために利用される。一部の実施形態では、生体試料は末梢血液試料である。
【００９８】
一部の実施形態では、生体試料の単位体積当たりの骨髄由来のサプレッサー細胞または結合剤−骨髄由来のサプレッサー細胞複合体は、単位体積当たり約１個、約２個、約３個、約４個、約５個、約６個、約７個、約８個、約９個、約１０個、約１５個、約２０個、約２５個、約３０個、約３５個、約４０個、約４５個、約５０個、約６０個、約７０個、約８０個、約９０個、約１００個、約１５０個、約２００個、約２５０個、約３００個、約３５０個、約４００個、約４５０個、約５００個、約６００個、約７００個、約８００個、約９００個、約１０００個、約１５００個、約２０００個、約２５００個、約３０００個、約３５００個、約４０００個、約４５００個、約５０００個、約６０００個、約７０００個、約８０００個、約９０００個、約１００００個、約１５０００個、約２００００個、約２５０００個、約３００００個、約３５０００個、約４００００個、約４５０００個、約５００００個、約６００００個、約７００００個、約８００００個、約９００００個または約１０００００個である。
【００９９】
一部の実施形態では、生体試料の単位体積当たりの骨髄由来のサプレッサー細胞または結合剤−骨髄由来のサプレッサー細胞複合体は、単位体積当たり約１個〜約２個、約２個〜約３個、約３個〜約４個、約４個〜約５個、約５個〜約６個、約６個〜約７個、約７個〜約８個、約８個〜約９個、約９個〜約１０個、約１０個〜約１５個、約１５個〜約２０個、約２０個〜約２５個、約２５個〜約３０個、約３０個〜約３５個、約３５個〜約４０個、約４０個〜約４５個、約４５個〜約５０個、約５０個〜約６０個、約６０個〜約７０個、約７０個〜約８０個、約８０個〜約９０個、約９０個〜約１００個、約１００個〜約１５０個、約１５０個〜約２００個、約２００個〜約２５０個、約２５０個〜約３００個、約３００個〜約３５０個、約３５０個〜約４００個、約４００個〜約４５０個、約４５０個〜約５００個、約５００個〜約６００個、約６００個〜約７００個、約７００個〜約８００個、約８００個〜約９００個、約９００個〜約１０００個、約１０００個〜約１５００個、約１５００個〜約２０００個、約２０００個〜約２５００個、約２５００個〜約３０００個、約３０００個〜約３５００個、約３５００個〜約４０００個、約４０００個〜約４５００個、約４５００個〜約５０００個、約５０００個〜約６０００個、約６０００個〜約７０００個、約７０００個〜約８０００個、約８０００個〜約９０００個、約９０００個〜約１００００個、約１００００個〜約１５０００個、約１５０００個〜約２００００個、約２００００個〜約２５０００個、約２５０００個〜約３００００個、約３００００個〜約３５０００個、約３５０００個〜約４００００個、約４００００個〜約４５０００個、約４５０００個〜約５００００個、約５００００個〜約６００００個、約６００００個〜約７００００個、約７００００個〜約８００００個、約８００００個〜約９００００個または約９００００個〜約１０００００個である。
【０１００】
一部の実施形態では、ＣＤ１４陽性かつＨＬＡ−ＤＲ−（ｌｏ／陰性）細胞、ＣＤ１４陽性細胞、および末梢血液単核細胞の数が、末梢血液試料中で測定され、そしてＣＤ１４陽性かつＨＬＡ−ＤＲ−（ｌｏ／陰性）細胞、ＣＤ１４陽性細胞、および末梢血液単核細胞の百分率が決定される。
【０１０１】
一部の実施形態では、ＣＤ１４陽性細胞または末梢血液単核細胞に対するＣＤ１４陽性かつＨＬＡ−ＤＲ−（ｌｏ／陰性）細胞の百分率が、エンチノスタットと第２の治療剤とを含む併用療法を投与するために患者を選択するために利用される。
【０１０２】
一部の実施形態では、末梢血液試料中または組織生検中のＣＤ１４陽性細胞または末梢血液単核細胞に対するＣＤ１４陽性かつＨＬＡ−ＤＲ−（ｌｏ／陰性）細胞の百分率は、少なくとも約０．１％、少なくとも約０．２％、少なくとも約０．３％、少なくとも約０．４％、少なくとも約０．５％、少なくとも約０．６％、少なくとも約０．７％、少なくとも約０．８％、少なくとも約０．９％、少なくとも約１％、少なくとも約１．１％、少なくとも約１．２％、少なくとも約１．３％、少なくとも約１．４％、少なくとも約１．５％、少なくとも約１．６％、少なくとも約１．７％、少なくとも約１．８％、少なくとも約１．９％、少なくとも約２％、少なくとも約３％、少なくとも約４％、少なくとも約５％、少なくとも約６％、少なくとも約７％、少なくとも約８％、少なくとも約９％、少なくとも約１０％、少なくとも約１１％、少なくとも約１２％、少なくとも約１３％、少なくとも約１４％、少なくとも約１５％、少なくとも約１６％、少なくとも約１７％、少なくとも約１８％、少なくとも約１９％、少なくとも約２０％、少なくとも約２１％、少なくとも約２２％、少なくとも約２３％、少なくとも約２４％、少なくとも約２５％、少なくとも約３０％、少なくとも約３５％、少なくとも約４０％、少なくとも約４５％、少なくとも約５０％、少なくとも約６０％、少なくとも約７０％、少なくとも約８０％、少なくとも約９０％、少なくとも約９５％、少なくとも約９６％、少なくとも約９７％、少なくとも約９８％または少なくとも約９９％である。
【０１０３】
一部の実施形態では、末梢血液試料中または組織生検中のＣＤ１４陽性細胞または末梢血液単核細胞に対するＣＤ１４陽性かつＨＬＡ−ＤＲ−（ｌｏ／陰性）細胞の百分率は、約０．１％〜約０．２％、約０．２％〜約０．３％、約０．３％〜約０．４％、約０．４％〜約０．５％、約０．５％〜約０．６％、約０．６％〜約０．７％、約０．７％〜約０．８％、約０．８％〜約０．９％、約０．９％〜約１％、約１％〜約１．１％、約１．１％〜約１．２％、約１．２％〜約１．３％、約１．４％〜約１．５％、約１．５％〜約１．６％、約１．６％〜約１．７％、約１．７％〜約１．８％、約１．８％〜約１．９％、約１．９％〜約２％、約２％〜約３％、約３％〜約４％、約４％〜約５％、約５％〜約６％、約６％〜約７％、約７％〜約８％、約８％〜約９％、約９％〜約１０％、約１０％〜約１１％、約１１％〜約１２％、約１２％〜約１３％、約１３％〜約１４％、約１４％〜約１５％、約１５％〜約１６％、約１６％〜約１７％、約１７％〜約１８％、約１８％〜約１９％、約１９％〜約２０％、約２０％〜約２１％、約２１％〜約２２％、約２２％〜約２３％、約２３％〜約２４％、約２４％〜約２５％、約２５％〜約３０％、約３０％〜約３５％、約３５％〜約４０％、約４０％〜約４５％、約４５％〜約５０％、約５０％〜約６０％、約６０％〜約７０％、約７０％〜約８０％、約８０％〜約９０％、約９０％〜約９５％、約９５％〜約９６％、約９６％〜約９７％、約９７％〜約９８％または約９８％〜約９９％である。
【０１０４】
一部の実施形態では、ＣＤ１４陽性かつＨＬＡ−ＤＲ−（ｌｏ／陰性）細胞、ＣＤ１４陽性細胞、および末梢血液単核細胞の数は、末梢血液試料中で測定され、ＣＤ１４陽性かつＨＬＡ−ＤＲ−（ｌｏ／陰性）細胞と、ＣＤ１４陽性細胞または末梢血液単核細胞のいずれかとの比が決定される。一部の実施形態では、ＣＤ１４陽性かつＨＬＡ−ＤＲ−（ｌｏ／陰性）細胞と、ＣＤ１４陽性細胞または末梢血液単核細胞のいずれかとの比が、エンチノスタットおよび第２の治療剤を含む併用療法を投与するために患者を選択するために利用される。
【０１０５】
一部の実施形態では、末梢血液試料中または組織生検中の、ＣＤ１４陽性かつＨＬＡ−ＤＲ−（ｌｏ／陰性）細胞と、ＣＤ１４陽性細胞または末梢血液単核細胞のいずれかとの比は、１：１００００、１：５０００、１：４０００、１：３０００、１：２０００、１：１０００、１：５００、１：４００、１：３００、１：２５０、１：２００、１：１５０、１：１００、１：９０、１：８０、１：７０、１：６０、１：５０、１：４９、１：４８、１：４７、１：４６、１：４５、１：４４、１：４３、１：４２、１：４１、１：４０、１：３９、１：３８、１：３７、１：３６、１：３５、１：３４、１：３３、１：３２、１：３１、１：３０、１：２９、１：２８、１：２７、１：２６、１：２５、１：２４、１：２３、１：２２、１：２１、１：２０、１：１９、１：１８、１：１７、１：１６、１：１５、１：１４、１：１３、１：１２、１：１１、１：１０、１：９、１：８、１：７、１：６、１：５、１：４、１：３、１：２、１：１、２：１、３：１、４：１、９：１、１９：１、２４：１、９７：１、４９：１または９９：１である。
【０１０６】
一部の実施形態では、末梢血液試料中または組織生検中の、ＣＤ１４陽性かつＨＬＡ−ＤＲ−（ｌｏ／陰性）細胞と、ＣＤ１４陽性細胞または末梢血液単核細胞のいずれかとの比は、１：１００００〜１：５０００、１：５０００〜１：４０００、１：４０００〜１：３０００、１：３０００〜１：２０００、１：２０００〜１：１０００、１：１０００〜１：５００、１：５００〜１：４００、１：４００〜１：３００、１：３００〜１：２００、１：２００〜１：１００、１：１００〜１：９０、１：９０〜１：８０、１：８０〜１：７０、１：７０〜１：６０、１：６０〜１：５０、１：５０〜１：４９、１：４９〜１：４８、１：４８〜１：４７、１：４７〜１：４６、１：４６〜１：４５、１：４５〜１：４４、１：４４〜１：４３、１：４３〜１：４２、１：４２〜１：４１、１：４１〜１：４０、１：４０〜１：３９、１：３９〜１：３８、１：３８〜１：３７、１：３７〜１：３６、１：３６〜１：３５、１：３５〜１：３４、１：３４〜１：３３、１：３３〜１：３２、１：３２〜１：３１、１：３１〜１：３０、１：３０〜１：２９、１：２９〜１：２８、１：２８〜１：２７、１：２７〜１：２６、１：２６〜１：２５、１：２５〜１：２４、１：２４〜１：２３、１：２３〜１：２２、１：２２〜１：２１、１：２１〜１：２０、１：２０〜１：１９、１：１９〜１：１８、１：１８〜１：１７、１：１７〜１：１６、１：１６〜１：１５、１：１５〜１：１４、１：１４〜１：１３、１：１３〜１：１２、１：１２〜１：１１、１：１１〜１：１０、１：１０〜１：９、１：９〜１：８、１：８〜１：７、１：７〜１：６、１：６〜１：５、１：５〜１：４、１：４〜１：３、１：３〜１：２、１：２〜１：１、１：１〜２：１、２：１〜３：１、３：１〜４：１、４：１〜９：１、９：１〜１９：１、１９：１〜２４：１、２４：１〜９７：１、９７：１〜４９：１または４９：１〜９９：１である。
【０１０７】
一部の実施形態では、生体試料の単位体積当たりのＣＤ１４陽性かつＨＬＡ−ＤＲ−（ｌｏ／陰性）細胞の数が決定される。単位体積の非限定的な例として、ピコリットル（ｐＬ）、ナノリットル（ｎＬ）、マイクロリットル（μＬ）、ミリリットル（ｍＬ）、デシリットル（ｄＬ）、およびリットル（Ｌ）が挙げられる。一部の実施形態では、生体試料の単位体積当たりのＣＤ１４陽性かつＨＬＡ−ＤＲ−（ｌｏ／陰性）細胞の数が、エンチノスタットと第２の治療剤とを含む併用療法を投与するために患者を選択するために利用される。一部の実施形態では、生体試料は末梢血液試料である。
【０１０８】
一部の実施形態では、生体試料の単位体積当たりのＣＤ１４陽性かつＨＬＡ−ＤＲ−（ｌｏ／陰性）細胞の数は、単位体積当たり約１個、約２個、約３個、約４個、約５個、約６個、約７個、約８個、約９個、約１０個、約１５個、約２０個、約２５個、約３０個、約３５個、約４０個、約４５個、約５０個、約６０個、約７０個、約８０個、約９０個、約１００個、約１５０個、約２００個、約２５０個、約３００個、約３５０個、約４００個、約４５０個、約５００個、約６００個、約７００個、約８００個、約９００個、約１０００個、約１５００個、約２０００個、約２５００個、約３０００個、約３５００個、約４０００個、約４５００個、約５０００個、約６０００個、約７０００個、約８０００個、約９０００個、約１００００個、約１５０００個、約２００００個、約２５０００個、約３００００個、約３５０００個、約４００００個、約４５０００個、約５００００個、約６００００個、約７００００個、約８００００個、約９００００個または約１０００００個である。
【０１０９】
一部の実施形態では、生体試料の単位体積当たりのＣＤ１４陽性かつＨＬＡ−ＤＲ−（ｌｏ／陰性）細胞の数は、単位体積当たり約１個〜約２個、約２〜約３個、約３個〜約４個、約４個〜約５個、約５個〜約６個、約６個〜約７個、約７個〜約８個、約８個〜約９個、約９個〜約１０個、約１０個〜約１５個、約１５個〜約２０個、約２０個〜約２５個、約２５個〜約３０個、約３０個〜約３５個、約３５個〜約４０個、約４０個〜約４５個、約４５個〜約５０個、約５０個〜約６０個、約６０個〜約７０個、約７０個〜約８０個、約８０個〜約９０個、約９０個〜約１００個、約１００個〜約１５０個、約１５０個〜約２００個、約２００個〜約２５０個、約２５０個〜約３００個、約３００個〜約３５０個、約３５０個〜約４００個、約４００個〜約４５０個、約４５０個〜約５００個、約５００個〜約６００個、約６００個〜約７００個、約７００個〜約８００個、約８００個〜約９００個、約９００個〜約１０００個、約１０００個〜約１５００個、約１５００個〜約２０００個、約２０００個〜約２５００個、約２５００個〜約３０００個、約３０００個〜約３５００個、約３５００個〜約４０００個、約４０００個〜約４５００個、約４５００個〜約５０００個、約５０００個〜約６０００個、約６０００個〜約７０００個、約７０００個〜約８０００個、約８０００個〜約９０００個、約９０００個〜約１００００個、約１００００個〜約１５０００個、約１５０００個〜約２００００個、約２００００個〜約２５０００個、約２５０００個〜約３００００個、約３００００個〜約３５０００個、約３５０００個〜約４００００個、約４００００個〜約４５０００個、約４５０００個〜約５００００個、約５００００個〜約６００００個、約６００００個〜約７００００個、約７００００個〜約８００００個、約８００００個〜約９００００個または約９００００個〜約１０００００個である。
【０１１０】
一部の実施形態では、骨髄由来のサプレッサー細胞、ＣＤ１４陽性かつＨＬＡ−ＤＲ−（ｌｏ／陰性）細胞、ＣＤ１４陽性細胞、および／または末梢血液単核細胞は、フローサイトメトリー、マスサイトメトリー、サイトスピン、または免疫組織化学を使用して測定される。
【０１１１】
フローサイトメトリーは、細胞を液体の流れの中で懸濁させ、電子検出装置に細胞を通過させることによって、細胞計測、セルソーティング、およびバイオマーカーの検出において使用される、レーザーに基づく技術である。フローサイトメトリーは、１秒間当たり最大数千個の粒子について、その物理的および化学的特徴の同時マルチパラメトリック解析を可能にする。
【０１１２】
マスサイトメトリーは、細胞の同一性および機能を決定するための誘導結合プラズマ質量分析に基づく質量分析技術である。この技術では、結合剤は、同位体として純粋な希土類元素でタグ化されている。これらの結合剤は、次にタグ細胞およびその構成成分に適用される。細胞は噴霧され、そして多原子希土類元素タグをイオン化させるアルゴンプラズマレーザーを通じて送られる。イオン化したタグ化細胞は、次に飛行時間型質量分析計により分析される。マスサイトメトリーの長所として、フローサイトメトリーではスペクトルオーバーラップにより限界が生じてしまうが、その限界を克服する能力が挙げられる。
【０１１３】
サイトスピンは、細胞染色および細胞計測のための塗抹として、懸濁細胞をガラススライド上で遠心分離する技術である。低粘度培地中に存在する濃縮した細胞懸濁物は、塗抹調製物としての優良候補となる。希薄な培地中に存在する希薄な細胞懸濁物は、細胞遠心分離を通じたサイトスピンの調製物として最適である。高粘度培地中に存在する細胞懸濁物は、スワブ調製物として試験するのに最適である。これらの調製物で共通する点として、細胞全体がスライド表面上に存在することが挙げられる。免疫組織化学は、生物学的組織中の抗原と特異的に結合する抗体の原理を利用することにより、組織切片の細胞内の抗原を検出するための組織学的染色の一種である。抗体−抗原相互作用の可視化は、いくつかの方法で実現可能である。抗体は、発色反応を触媒し得る酵素、例えばペルオキシダーゼに結合し得る。あるいは、抗体は、蛍光物質、例えばフルオレセインまたはローダミンにタグ化され得る。
【０１１４】
一部の実施形態では、フローサイトメトリー、マスサイトメトリー、サイトスピン、または免疫組織化学が、細胞、例えば骨髄由来のサプレッサー細胞または末梢血液単核細胞を検出するために使用される。一部の実施形態では、フローサイトメトリー、マスサイトメトリー、サイトスピン、または免疫組織化学には、結合剤−骨髄由来のサプレッサー細胞、および結合剤−末梢血液単核細胞複合体を形成する結合剤の使用が含まれる。一部の実施形態では、結合剤は、細胞表面マーカーにより骨髄由来のサプレッサー細胞および末梢血液単核細胞を同定するために使用される。一部の実施形態では、結合剤は抗体である。
【０１１５】
一部の実施形態では、骨髄由来のサプレッサー細胞または末梢血液単核細胞と結合する結合剤の数は、少なくとも約１、少なくとも約２、少なくとも約３、少なくとも約４、少なくとも約５、少なくとも約６、少なくとも約７、少なくとも約８、少なくとも約９、少なくとも約１０、少なくとも約１１、少なくとも約１２、少なくとも約１３、少なくとも約１４、少なくとも約１５、少なくとも約１６、少なくとも約２０、少なくとも約３０、少なくとも約４０、少なくとも約５０、少なくとも約６０、少なくとも約７０、少なくとも約８０、少なくとも約９０、少なくとも約１００、少なくとも約１２５、少なくとも約１５０、少なくとも約１７５または少なくとも約２００である。一部の実施形態では、骨髄由来のサプレッサー細胞または末梢血液単核細胞と結合する結合剤の数は、約１〜約２、約２〜約３、約３〜約４、約４〜約５、約５〜約６、約６〜約７、約７〜約８、約８〜約９、約９〜約１０、約１０〜約１１、約１１〜約１２、約１２〜約１３、約１４〜約１５、約１５〜約１６、約１６〜約２０、約２０〜約３０、約３０〜約４０、約４０〜約５０、約５０〜約６０、約６０〜約７０、約７０〜約８０、約８０〜約９０、約９０〜約１００、約１００〜約１２５、約１２５〜約１５０、約１５０〜約１７５または約１７５〜約２００である。
【０１１６】
一部の実施形態では、骨髄由来のサプレッサー細胞および末梢血液単核細胞、Ｍ−ＭＤＳＣ、またはＰＭＮ−ＭＤＳＣは、細胞表面マーカーにより同定される。骨髄由来のサプレッサー細胞を同定する細胞表面マーカーの非限定的な例として、ＣＤ１１ｂ、ＣＤ３３、およびＣＤ４０が挙げられる。末梢血液単核細胞を同定する細胞表面マーカーの非限定的な例として、ＣＤ３、ＣＤ１４、ＣＤ１９、ＣＤ５６、およびＨＬＡ−ＤＲが挙げられる。Ｍ−ＭＤＳＣは、ＣＤ１４と組み合わせた骨髄由来のサプレッサー細胞マーカーの任意の組合せにより同定され得る。ＰＭＮ−ＭＤＳＣは、ＣＤ１５と組み合わせた骨髄由来のサプレッサー細胞マーカーの任意の組合せにより同定され得る。一部の実施形態では、骨髄由来のサプレッサー細胞、末梢血液単核細胞、Ｍ−ＭＤＳＣ、またはＰＭＮ−ＭＤＳＣは、結合剤と接触して、細胞−結合剤複合体を形成する。結合剤は、上記細胞表面マーカーのいずれか、または任意のこれらの組合せと結合する。
【０１１７】
一部の実施形態では、骨髄由来のサプレッサー細胞がＣＤ１１ｂにより同定され、末梢血液単核細胞がＣＤ３により同定される。一部の実施形態では、骨髄由来のサプレッサー細胞がＣＤ１１ｂにより同定され、末梢血液単核細胞がＣＤ１４により同定される。一部の実施形態では、骨髄由来のサプレッサー細胞がＣＤ１１ｂにより同定され、末梢血液単核細胞がＣＤ１９により同定される。一部の実施形態では、骨髄由来のサプレッサー細胞がＣＤ１１ｂにより同定され、末梢血液単核細胞がＣＤ５６により同定される。一部の実施形態では、骨髄由来のサプレッサー細胞がＣＤ１１ｂにより同定され、末梢血液単核細胞がＨＬＡ−ＤＲにより同定される。一部の実施形態では、骨髄由来のサプレッサー細胞がＣＤ３３により同定され、末梢血液単核細胞がＣＤ３により同定される。一部の実施形態では、骨髄由来のサプレッサー細胞がＣＤ３３により同定され、末梢血液単核細胞がＣＤ１４により同定される。一部の実施形態では、骨髄由来のサプレッサー細胞がＣＤ３３により同定され、末梢血液単核細胞がＣＤ１９により同定される。一部の実施形態では、骨髄由来のサプレッサー細胞がＣＤ３３により同定され、末梢血液単核細胞がＣＤ５６により同定される。一部の実施形態では、骨髄由来のサプレッサー細胞がＣＤ３３により同定され、末梢血液単核細胞がＨＬＡ−ＤＲにより同定される。一部の実施形態では、骨髄由来のサプレッサー細胞がＣＤ４０により同定され、末梢血液単核細胞がＣＤ３により同定される。一部の実施形態では、骨髄由来のサプレッサー細胞がＣＤ４０により同定され、末梢血液単核細胞が、ＣＤ１４により同定される。一部の実施形態では、骨髄由来のサプレッサー細胞がＣＤ４０により同定され、末梢血液単核細胞がＣＤ１９により同定される。一部の実施形態では、骨髄由来のサプレッサー細胞がＣＤ４０により同定され、末梢血液単核細胞がＣＤ５６により同定される。一部の実施形態では、骨髄由来のサプレッサー細胞がＣＤ４０により同定され、末梢血液単核細胞がＨＬＡ−ＤＲにより同定される。一部の実施形態では、骨髄由来のサプレッサー細胞がＣＤ１１ｂおよびＣＤ３３により同定され、末梢血液単核細胞がＣＤ３により同定される。一部の実施形態では、骨髄由来のサプレッサー細胞が、ＣＤ１１ｂおよびＣＤ３３により同定され、末梢血液単核細胞がＣＤ１４により同定される。一部の実施形態では、骨髄由来のサプレッサー細胞がＣＤ１１ｂおよびＣＤ３３により同定され、末梢血液単核細胞がＣＤ１９により同定される。一部の実施形態では、骨髄由来のサプレッサー細胞がＣＤ１１ｂおよびＣＤ３３により同定され、末梢血液単核細胞がＣＤ５６により同定される。一部の実施形態では、骨髄由来のサプレッサー細胞がＣＤ１１ｂおよびＣＤ３３により同定され、末梢血液単核細胞がＨＬＡ−ＤＲにより同定される。一部の実施形態では、骨髄由来のサプレッサー細胞がＣＤ１１ｂおよびＣＤ３３により同定され、末梢血液単核細胞が、ＣＤ３、ＣＤ１４、ＣＤ１９、ＣＤ５６、およびＨＬＡ−ＤＲにより同定される。
【０１１８】
一部の実施形態では、Ｍ−ＭＤＳＣがＣＤ１１ｂおよびＣＤ１４により同定され、末梢血液単核細胞がＣＤ３により同定される。一部の実施形態では、Ｍ−ＭＤＳＣがＣＤ１１ｂおよびＣＤ１４により同定され、末梢血液単核細胞がＣＤ１４により同定される。一部の実施形態では、Ｍ−ＭＤＳＣがＣＤ１１ｂおよびＣＤ１４により同定され、末梢血液単核細胞がＣＤ１９により同定される。一部の実施形態では、Ｍ−ＭＤＳＣがＣＤ１１ｂおよびＣＤ１４により同定され、末梢血液単核細胞がＣＤ５６により同定される。一部の実施形態では、Ｍ−ＭＤＳＣがＣＤ１１ｂおよびＣＤ１４により同定され、末梢血液単核細胞がＨＬＡ−ＤＲにより同定される。一部の実施形態では、Ｍ−ＭＤＳＣがＣＤ３３およびＣＤ１４により同定され、末梢血液単核細胞がＣＤ３により同定される。一部の実施形態では、Ｍ−ＭＤＳＣがＣＤ３３およびＣＤ１４により同定され、末梢血液単核細胞がＣＤ１４により同定される。一部の実施形態では、Ｍ−ＭＤＳＣがＣＤ３３およびＣＤ１４により同定され、末梢血液単核細胞がＣＤ１９により同定される。一部の実施形態では、Ｍ−ＭＤＳＣがＣＤ３３およびＣＤ１４により同定され、末梢血液単核細胞がＣＤ５６により同定される。一部の実施形態では、Ｍ−ＭＤＳＣがＣＤ３３およびＣＤ１４により同定され、末梢血液単核細胞がＨＬＡ−ＤＲにより同定される。一部の実施形態では、Ｍ−ＭＤＳＣがＣＤ４０およびＣＤ１４により同定され、末梢血液単核細胞がＣＤ３により同定される。一部の実施形態では、Ｍ−ＭＤＳＣがＣＤ４０およびＣＤ１４により同定され、末梢血液単核細胞がＣＤ１４により同定される。一部の実施形態では、Ｍ−ＭＤＳＣがＣＤ４０およびＣＤ１４により同定され、末梢血液単核細胞がＣＤ１９により同定される。一部の実施形態では、Ｍ−ＭＤＳＣがＣＤ４０およびＣＤ１４により同定され、末梢血液単核細胞がＣＤ５６により同定される。一部の実施形態では、Ｍ−ＭＤＳＣがＣＤ４０およびＣＤ１４により同定され、末梢血液単核細胞がＨＬＡ−ＤＲにより同定される。一部の実施形態では、Ｍ−ＭＤＳＣが、ＣＤ１１ｂおよびＣＤ３３およびＣＤ１４により同定され、末梢血液単核細胞がＣＤ３により同定される。一部の実施形態では、Ｍ−ＭＤＳＣが、ＣＤ１１ｂおよびＣＤ３３およびＣＤ１４により同定され、末梢血液単核細胞がＣＤ１４により同定される。一部の実施形態では、Ｍ−ＭＤＳＣが、ＣＤ１１ｂおよびＣＤ３３およびＣＤ１４により同定され、末梢血液単核細胞がＣＤ１９により同定される。一部の実施形態では、Ｍ−ＭＤＳＣが、ＣＤ１１ｂおよびＣＤ３３およびＣＤ１４により同定され、末梢血液単核細胞がＣＤ５６により同定される。一部の実施形態では、Ｍ−ＭＤＳＣが、ＣＤ１１ｂおよびＣＤ３３およびＣＤ１４により同定され、末梢血液単核細胞がＨＬＡ−ＤＲにより同定される。一部の実施形態では、Ｍ−ＭＤＳＣが、ＣＤ１１ｂおよびＣＤ３３およびＣＤ１４により同定され、末梢血液単核細胞が、ＣＤ３、ＣＤ１４、ＣＤ１９、ＣＤ５６、およびＨＬＡ−ＤＲにより同定される。
【０１１９】
一部の実施形態では、ＰＭＮ−ＭＤＳＣがＣＤ１１ｂおよびＣＤ１５により同定され、末梢血液単核細胞がＣＤ３により同定される。一部の実施形態では、ＰＭＮ−ＭＤＳＣがＣＤ１１ｂおよびＣＤ１５により同定され、末梢血液単核細胞がＣＤ１４により同定される。一部の実施形態では、ＰＭＮ−ＭＤＳＣがＣＤ１１ｂおよびＣＤ１５により同定され、末梢血液単核細胞がＣＤ１９により同定される。一部の実施形態では、ＰＭＮ−ＭＤＳＣがＣＤ１１ｂおよびＣＤ１５により同定され、末梢血液単核細胞がＣＤ５６により同定される。一部の実施形態では、ＰＭＮ−ＭＤＳＣがＣＤ１１ｂおよびＣＤ１５により同定され、末梢血液単核細胞がＨＬＡ−ＤＲにより同定される。一部の実施形態では、ＰＭＮ−ＭＤＳＣがＣＤ３３およびＣＤ１５により同定され、末梢血液単核細胞がＣＤ３により同定される。一部の実施形態では、ＰＭＮ−ＭＤＳＣがＣＤ３３およびＣＤ１５により同定され、末梢血液単核細胞がＣＤ１４により同定される。一部の実施形態では、ＰＭＮ−ＭＤＳＣがＣＤ３３およびＣＤ１５により同定され、末梢血液単核細胞がＣＤ１９により同定される。一部の実施形態では、ＰＭＮ−ＭＤＳＣがＣＤ３３およびＣＤ１５により同定され、末梢血液単核細胞がＣＤ５６により同定される。一部の実施形態では、ＰＭＮ−ＭＤＳＣがＣＤ３３およびＣＤ１５により同定され、末梢血液単核細胞がＨＬＡ−ＤＲにより同定される。一部の実施形態では、ＰＭＮ−ＭＤＳＣがＣＤ４０およびＣＤ１５により同定され、末梢血液単核細胞がＣＤ３により同定される。一部の実施形態では、ＰＭＮ−ＭＤＳＣがＣＤ４０およびＣＤ１５により同定され、末梢血液単核細胞がＣＤ１４により同定される。一部の実施形態では、ＰＭＮ−ＭＤＳＣがＣＤ４０およびＣＤ１５により同定され、末梢血液単核細胞がＣＤ１９により同定される。一部の実施形態では、ＰＭＮ−ＭＤＳＣがＣＤ４０およびＣＤ１５により同定され、末梢血液単核細胞がＣＤ５６により同定される。一部の実施形態では、ＰＭＮ−ＭＤＳＣがＣＤ４０およびＣＤ１５により同定され、末梢血液単核細胞がＨＬＡ−ＤＲにより同定される。一部の実施形態では、ＰＭＮ−ＭＤＳＣが、ＣＤ１１ｂおよびＣＤ３３およびＣＤ１５により同定され、末梢血液単核細胞がＣＤ３により同定される。一部の実施形態では、ＰＭＮ−ＭＤＳＣが、ＣＤ１１ｂおよびＣＤ３３およびＣＤ１５により同定され、末梢血液単核細胞がＣＤ１４により同定される。一部の実施形態では、ＰＭＮ−ＭＤＳＣが、ＣＤ１１ｂおよびＣＤ３３およびＣＤ１５により同定され、末梢血液単核細胞がＣＤ１９により同定される。一部の実施形態では、ＰＭＮ−ＭＤＳＣが、ＣＤ１１ｂおよびＣＤ３３およびＣＤ１５により同定され、末梢血液単核細胞がＣＤ５６により同定される。一部の実施形態では、ＰＭＮ−ＭＤＳＣが、ＣＤ１１ｂおよびＣＤ３３およびＣＤ１５により同定され、末梢血液単核細胞がＨＬＡ−ＤＲにより同定される。一部の実施形態では、ＰＭＮ−ＭＤＳＣが、ＣＤ１１ｂおよびＣＤ３３およびＣＤ１５により同定され、末梢血液単核細胞が、ＣＤ３、ＣＤ１４、ＣＤ１９、ＣＤ５６、およびＨＬＡ−ＤＲにより同定される。
【０１２０】
一部の実施形態では、ＰＭＮ−ＭＤＳＣ細胞が、ＣＤ１１ｂおよび細胞表面にＣＤ１４が存在しないことにより同定され、末梢血液単核細胞がＣＤ３により同定される。一部の実施形態では、ＰＭＮ−ＭＤＳＣが、ＣＤ１１ｂおよび細胞表面上にＣＤ１４が存在しないことにより同定され、末梢血液単核細胞がＣＤ１４により同定される。一部の実施形態では、ＰＭＮ−ＭＤＳＣが、ＣＤ１１および細胞上にＣＤ１４が存在しないことにより同定され、末梢血液単核細胞がＣＤ１９により同定される。一部の実施形態では、ＰＭＮ−ＭＤＳＣが、ＣＤ１１ｂ１４および細胞表面上にＣＤ１４が存在しないことにより同定され、末梢血液単核細胞がＣＤ５６により同定される。一部の実施形態では、ＰＭＮ−ＭＤＳＣ細胞が、ＣＤ１１ｂおよび細胞表面上にＣＤ１４が存在しないことにより同定され、末梢血液単核細胞がＨＬＡ−ＤＲにより同定される。一部の実施形態では、ＰＭＮ−ＭＤＳＣ細胞が、ＣＤ３３および細胞表面上にＣＤ１４が存在しないことにより同定され、末梢血液単核細胞がＣＤ３により同定される。一部の実施形態では、ＰＭＮ−ＭＤＳＣが、ＣＤ３３および細胞表面上にＣＤ１４が存在しないことにより同定され、末梢血液単核細胞がＣＤ１４により同定される。一部の実施形態では、ＰＭＮ−ＭＤＳＣが、ＣＤ３３および細胞表面上ＣＤ１４が存在しないことにより同定され、末梢血液単核細胞がＣＤ１９により同定される。一部の実施形態では、ＰＭＮ−ＭＤＳＣが、ＣＤ３３および細胞表面上にＣＤ１４が存在しないことにより同定され、末梢血液単核細胞がＣＤ５６により同定される。一部の実施形態では、ＰＭＮ−ＭＤＳＣが、ＣＤ３３および細胞表面上にＣＤ１４が存在しないことにより同定され、末梢血液単核細胞がＨＬＡ−ＤＲにより同定される。一部の実施形態では、ＰＭＮ−ＭＤＳＣが、ＣＤ４０および細胞表面上にＣＤ１４が存在しないことにより同定され、末梢血液単核細胞がＣＤ３により同定される。一部の実施形態では、ＰＭＮ−ＭＤＳＣが、ＣＤ４０および細胞表面上にＣＤ１４が存在しないことにより同定され、末梢血液単核細胞がＣＤ１４により同定される。一部の実施形態では、ＰＭＮ−ＭＤＳＣが、ＣＤ４０および細胞表面上にＣＤ１４が存在しないことにより同定され、末梢血液単核球がＣＤ１９により同定される。一部の実施形態では、ＰＭＮ−ＭＤＳＣが、ＣＤ４０および細胞表面上にＣＤ１４が存在しないことにより同定され、末梢血液単核細胞がＣＤ５６により同定される。一部の実施形態では、ＰＭＮ−ＭＤＳＣが、ＣＤ４０および細胞表面上にＣＤ１４が存在しないことにより同定され、末梢血液単核細胞がＨＬＡ−ＤＲにより同定される。一部の実施形態では、ＰＭＮ−ＭＤＳＣが、ＣＤ１１ｂおよびＣＤ３３および細胞表面上にＣＤ１４が存在しないことにより同定され、末梢血液単核細胞がＣＤ３により同定される。一部の実施形態では、ＰＭＮ−ＭＤＳＣが、ＣＤ１１ｂおよびＣＤ３３および細胞表面上にＣＤ１４が存在しないことにより同定され、末梢血液単核細胞がＣＤ１４により同定される。一部の実施形態では、ＰＭＮ−ＭＤＳＣが、ＣＤ１１ｂおよびＣＤ３３および細胞表面上にＣＤ１４が存在しないことにより同定され、末梢血液単核細胞がＣＤ１９により同定される。一部の実施形態では、ＰＭＮ−ＭＤＳＣが、ＣＤ１１ｂおよびＣＤ３３および細胞表面上にＣＤ１４が存在しないことにより同定され、末梢血液単核細胞がＣＤ５６により同定される。一部の実施形態では、ＰＭＮ−ＭＤＳＣが、ＣＤ１１ｂおよびＣＤ３３および細胞表面上にＣＤ１４が存在しないことにより同定され、末梢血液単核細胞がＨＬＡ−ＤＲにより同定される。一部の実施形態では、ＰＭＮ−ＭＤＳＣが、ＣＤ１１ｂおよびＣＤ３３および細胞表面上にＣＤ１４が存在しないことにより同定され、末梢血液単核細胞が、ＣＤ３、ＣＤ１４、ＣＤ１９、ＣＤ５６、およびＨＬＡ−ＤＲにより同定される。
【０１２１】
一部の実施形態では、ＣＤ１４陽性かつＨＬＡ−ＤＲ−（ｌｏ／陰性）細胞、ＣＤ１４陽性細胞、および末梢血液単核細胞が、細胞表面マーカーにより同定される。末梢血液単核細胞を同定する細胞表面マーカーの非限定的な例として、ＣＤ３、ＣＤ１４、ＣＤ１９、ＣＤ５６、およびＨＬＡ−ＤＲが挙げられる。
【０１２２】
一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、末梢血液単核細胞がＣＤ３により同定される。一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、末梢血液単核細胞がＣＤ１４により同定される。一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、末梢血液単核細胞がＣＤ１９により同定される。一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、末梢血液単核細胞がＣＤ５６により同定される。一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、末梢血液単核細胞がＨＬＡ−ＤＲにより同定される。一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、末梢血液単核細胞が、ＣＤ３、ＣＤ１４、ＣＤ１９、ＣＤ５６、およびＨＬＡ−ＤＲにより同定される。一部の実施形態では、ＣＤ１４陽性かつＨＬＡ−ＤＲ−（ｌｏ／陰性）細胞が、ＣＤ１４および低レベルのＨＬＡ−ＤＲまたはその不存在により同定され、ＣＤ１４陽性細胞がＣＤ１４により同定される。
【０１２３】
さらなる療法
三種陰性乳がんのための、本明細書に開示の療法と併用して有利に採用され得る、利用可能なさらなる処置として、非限定的に、アジュバント療法としての放射線療法、化学療法、抗体療法、およびチロシンキナーゼ阻害剤が挙げられる。
【０１２４】
放射線療法は、がん細胞を殺傷するかまたはがん細胞が増殖するのを防ぐために、高エネルギーＸ線または他の種類の放射線を使用するがん処置である。化学療法は、細胞を殺傷することにより、または細胞が分裂するのを停止させることにより、がん細胞の増殖を停止させる薬物を使用するがん処置である。化学療法が、経口により摂取されるか、または血管もしくは筋肉に注射される場合、薬物は血流に進入し、全身にわたり、がん細胞に到達することができる（全身化学療法）。化学療法が、脊柱、臓器、または体腔、例えば腹部に直接施される場合、薬物は、そのような領域内のがん細胞に主に影響を及ぼす（局所化学療法）。化学療法を与える方法は、処置されるがんの型および病期に依存する。
【０１２５】
肺がんを処置するために、異なる化学療法剤が当技術分野において公知である。肺がんを処置するために使用される細胞毒性剤（ｃｙｔｏｘｉｃ  ａｇｅｎｔ）として、カルボプラチン（例えば、Ｐａｒａｐｌａｔｉｎ（登録商標）、Ｐａｒａｐｌａｔ（登録商標））、シスプラチン（例えば、Ｐｌａｔｉｎｏｌ（登録商標）、Ｐｌａｔｉｎｏｌ−Ａｑ（登録商標））、クリゾチニブ（例えば、Ｘａｌｋｏｒｉ（登録商標））、エトポシド（例えば、Ｔｏｐｏｓａｒ（登録商標）、ＶｅＰｅｓｉｄ（登録商標））、リン酸エトポシド（例えば、Ｅｔｏｐｏｐｈｏｓ（登録商標））、塩酸ゲムシタビン（例えば、Ｇｅｍｚａｒ（登録商標））、ゲムシタビン−シスプラチン、メトトレキサート（例えば、Ａｂｉｔｒｅｘａｔｅ（登録商標）、Ｆｏｌｅｘ（登録商標）、Ｆｏｌｅｘ  Ｐｆｓ（登録商標）、Ｍｅｔｈｏｔｒｅｘａｔｅ  Ｌｐｆ（登録商標）、Ｍｅｘａｔｅ（登録商標）、Ｍｅｘａｔｅ−Ａｑ（登録商標））、パクリタキセル（例えば、Ｔａｘｏｌ（登録商標））、ペメトレキセド二ナトリウム（例えば、Ａｌｉｍｔａ（登録商標））、および塩酸トポテカン（例えば、Ｈｙｃａｍｔｉｎ（登録商標））が挙げられる。
【０１２６】
メラノーマを処置するために、アルデスロイキン（例えば、Ｐｒｏｌｅｕｋｉｎ（登録商標））、ダブラフェニブ（例えば、Ｔａｆｉｎｌａｒ（登録商標））、ダカルバジン（例えば、ＤＴＩＣ−Ｄｏｍｅ（登録商標））、組換えインターフェロンアルファ−２ｂ（例えば、Ｉｎｔｒｏｎ（登録商標）Ａ）、イピリムマブ（例えば、Ｙｅｒｖｏｙ（登録商標））、ペンブロリズマブ（例えば、Ｋｅｙｔｒｕｄａ（登録商標））、トラメチニブ（例えば、Ｍｅｋｉｎｉｓｔ（登録商標））、ニボルマブ（例えば、Ｏｐｄｉｖｏ（登録商標））、ペグインターフェロンアルファ−２ｂ（例えば、Ｐｅｇｉｎｔｒｏｎ（登録商標）、Ｓｙｌａｔｒｏｎ（登録商標））、ベムラフェニブ（例えば、Ｚｅｌｂｏｒａｆ（登録商標））を含む、異なる薬剤が当技術分野において公知である。
【０１２７】
モノクロナール抗体療法は、一種類の免疫系細胞から、研究室内で作成された抗体を使用するがん処置である。これらの抗体は、がん細胞が増殖するのを支援し得るがん細胞上の物質、または正常な物質を同定することができる。抗体は、物質に結合するか、がん細胞を殺傷するか、がん細胞が増殖するのを遮断するか、またはがん細胞が広がるのを防ぐ。モノクロナール抗体は、輸液により与えられる。モノクロナール抗体は、単独で、または薬物、毒素、もしくは放射性物質をがん細胞に直接運ぶために使用することができる。また、モノクロナール抗体は、アジュバント療法として、化学療法と組み合わせても使用される。
【０１２８】
本明細書に開示の組成物および療法と有利に組み合わせることができる、さらなる実例的な処置として、ラパチニブ単独、あるいはカペシタビン、ドセタキセル、エピルビシン、エポチロンＡ、Ｂ、もしくはＤ、酢酸ゴセレリン、パクリタキセル、パミドロネート、ベバシズマブ、またはトラスツズマブと組み合わせたラパチニブを含むが、これらに限定
されない薬剤の投与を非限定的に挙げることができる。
【０１２９】
一部の実施形態では、さらなる療法は、ドキソルビシン、シクロホスファミド、パクリタキセル、ラパチニブ、カペシタビン、トラスツズマブ、ベバシズマブ、ゲムシタビン、エリブリン、またはｎａｂ−パクリタキセルのうちの１つまたは複数を、被験体に投与することを含む化学療法を含む。
【０１３０】
経口製剤
本明細書に記載されている薬学的な有効成分を含有する経口製剤は、錠剤、カプセル剤、丸剤、トローチ、ロゼンジ、香錠、カシェ剤、ペレット、薬用チューインガム、顆粒、バルク粉末、発泡性または非発泡性の粉末または顆粒、液剤、エマルジョン、懸濁剤、液剤、オブラート、散布剤（ｓｐｒｉｎｋｌｅ）、エリキシル剤、シロップ剤、口腔用形態（ｂｕｃｃａｌ  ｆｏｒｍ）、および経口液体を含む、任意の慣習的に使用される経口形態を含み得る。カプセル剤は、活性化合物（複数可）と、不活性な充填剤または希釈剤、例えば薬学的に許容されるデンプン（例えば、トウモロコシ、ジャガイモ、またはタピオカのデンプン）、糖、人工甘味料、粉末化セルロース、例えば結晶および微結晶セルロース、フラワー、ゼラチン、ガム等との混合物を含有してよい。有用な錠剤製剤は、従来の圧縮法、湿式造粒法または乾式造粒法により作製され得るが、ステアリン酸マグネシウム、ステアリン酸、タルク、ラウリル硫酸ナトリウム、微結晶セルロース、カルボキシメチルセルロースカルシウム、ポリビニルピロリドン、ゼラチン、アルギン酸、アカシアガム、キサンタンガム、クエン酸ナトリウム、複合ケイ酸塩、炭酸カルシウム、グリシン、デキストリン、スクロース、ソルビトール、リン酸二カルシウム、硫酸カルシウム、ラクトース、カオリン、マンニトール、塩化ナトリウム、タルク、乾燥デンプン、および粉末化された糖を含むが、これらに限定されない、薬学的に許容される希釈剤、結着剤（ｂｉｎｄｉｎｇ  ａｇｅｎｔ）、滑沢剤、崩壊剤、表面改質剤（ｓｕｒｆａｃｅ  ｍｏｄｉｆｙｉｎｇ  ａｇｅｎｔ）（界面活性剤を含む）、懸濁化剤または安定化剤を利用する。一部の実施形態では、表面改質剤として、非イオン性および陰イオン性の表面改質剤が挙げられる。例えば、表面改質剤として、ポロキサマー１８８、塩化ベンザルコニウム、ステアリン酸カルシウム、セトステアリルアルコール、セトマクロゴール乳化ワックス、ソルビタンエステル、コロイド状二酸化ケイ素、ホスフェート、ドデシル硫酸ナトリウム、ケイ酸アルミニウムマグネシウム、およびトリエタノールアミンが挙げられるが、これらに限定されない。本明細書の経口製剤は、活性化合物（複数可）の吸収を変化させるために、標準的な遅延放出型または限時放出型（ｔｉｍｅ  ｒｅｌｅａｓｅ）の製剤を利用し得る。また、経口製剤は、必要に応じて、適する可溶化剤または乳化剤を含有する水または果汁中の有効成分を投与することから構成される場合もある。
【０１３１】
経口投与
本明細書に記載されているように、本明細書に記載されている併用療法は、同時に与えることができるか、または互い違いのレジメン（ｓｔａｇｇｅｒｅｄ  ｒｅｇｉｍｅｎ）で与えることができ、エンチノスタットが、化学療法の過程で、ＥＧＦＲ阻害剤とは異なる時期に与えられる。この時期的な相違は、２つの化合物の投与間で、数分間、数時間、数日間、数週間の範囲、またはそれより長い範囲に及ぶ可能性がある。したがって、併用という用語は、同時に、または単一の用量として投与されることを必ずしも意味しないが、各成分は、所望の処置期間内に投与される。また、薬剤は、異なる経路によって投与され得る。化学療法レジメンとして一般的なように、化学療法の過程は、数週間後に反復されてもよく、２つの化合物の投与について、同一の時間枠に従ってもよく、また患者の応答に基づき修正を加えてもよい。
【０１３２】
他の実施形態では、本明細書において提供される医薬組成物は、経口投与用の固体、半固体、または液体の剤形で提供され得る。本明細書で使用する場合、経口投与として、口腔、舌側、および舌下投与が挙げられる。適する経口剤形として、錠剤、カプセル剤、丸剤、トローチ、ロゼンジ、香錠、カシェ剤、ペレット、薬用チューインガム、顆粒、バルク粉末、発泡性または非発泡性の粉末、または顆粒、液剤、エマルジョン、懸濁剤、液剤、オブラート、散布剤、エリキシル剤、およびシロップ剤が挙げられるが、これらに限定されない。有効成分（複数可）に加えて、医薬組成物は、結合剤、充填剤、希釈剤、崩壊剤、湿潤剤、滑沢剤、流動促進剤（ｇｌｉｄａｎｔ）、着色剤、色素移動阻害剤（ｄｙｅ−ｍｉｇｒａｔｉｏｎ  ｉｎｈｉｂｉｔｏｒ）、甘味料、および矯味矯臭剤を含むが、これらに限定されない１つまたは複数の薬学的に許容される担体または賦形剤を含有してよい。
【０１３３】
結合剤または造粒剤（ｇｒａｎｕｌａｔｏｒ）は、錠剤に粘着性を付与し、圧縮後に錠剤が無傷のままであることを確実にする。適する結合剤または造粒剤として、デンプン、例えばトウモロコシデンプン、ジャガイモデンプン、およびアルファ化デンプン（例えば、ＳＴＡＲＣＨ  １５００）；ゼラチン；糖、例えばスクロース、グルコース、デキストロース、糖蜜、およびラクトース；天然および合成ガム、例えばアカシア、アルギン酸、アルギネート、トチャカの抽出物、パンワールガム、ガッチゴム、イサゴールハスク（ｉｓａｂｇｏｌ  ｈｕｓｋ）の漿剤、カルボキシメチルセルロース、メチルセルロース、ポリビニルピロリドン（ＰＶＰ）、ビーガム、カラマツアラビノガラクタン（ｌａｒｃｈ  ａｒａｂｏｇａｌａｃｔａｎ）、粉末化されたトラガント、およびグアーガム；セルロース、例えばエチルセルロース、セルロースアセテート、カルボキシメチルセルロースカルシウム、カルボキシルメチルセルロースナトリウム、メチルセルロース、ヒドロキシエチルセルロース（ＨＥＣ）、ヒドロキシプロピルセルロース（ＨＰＣ）、ヒドロキシプロピルメチルセルロース（ＨＰＭＣ）；微結晶セルロース、例えばＡＶＩＣＥＬ−ＰＨ−１０１、ＡＶＩＣＥＬ−ＰＨ−１０３、ＡＶＩＣＥＬ  ＲＣ−５８１、ＡＶＩＣＥＬ−ＰＨ−１０５（ＦＭＣ  Ｃｏｒｐ．、Ｍａｒｃｕｓ  Ｈｏｏｋ、ＰＡ）；およびその混合物が挙げられるが、これらに限定されない。適する充填剤として、タルク、炭酸カルシウム、微結晶セルロース、粉末化セルロース、デキストレート、カオリン、マンニトール、ケイ酸、ソルビトール、デンプン、アルファ化デンプン、およびその混合物が挙げられるが、これらに限定されない。結合剤または充填剤は、本明細書において提供される医薬組成物中に、約５０重量％〜約９９重量％存在し得る。
【０１３４】
適する希釈剤として、リン酸二カルシウム、硫酸カルシウム、ラクトース、ソルビトール、スクロース、イノシトール、セルロース、カオリン、マンニトール、塩化ナトリウム、乾燥デンプン、および粉末化された糖が挙げられるが、これらに限定されない。ある特定の希釈剤、例えばマンニトール、ラクトース、ソルビトール、スクロース、およびイノシトールは、十分な量で存在する場合、一部の圧縮錠剤に、咀嚼により口内で崩壊可能にする特性を付与し得る。そのような圧縮錠剤は、咀嚼可能な錠剤として使用することができる。
【０１３５】
適する崩壊剤として、寒天；ベントナイト；セルロース、例えばメチルセルロースおよびカルボキシメチルセルロース；木質生成物（ｗｏｏｄ  ｐｒｏｄｕｃｔ）；天然のスポンジ；陽イオン交換樹脂；アルギン酸；ガム、例えばグアーガムおよびビーガムＨＶ；かんきつ類の髄質（ｃｉｔｒｕｓ  ｐｕｌｐ）；架橋セルロース、例えばクロスカルメロース；架橋ポリマー、例えばクロスポビドン；架橋デンプン；炭酸カルシウム；微結晶セルロース、例えばデンプングリコール酸ナトリウム；ポラクリリンカリウム（ｐｏｌａｃｒｉｌｉｎ  ｐｏｔａｓｓｉｕｍ）；デンプン、例えばトウモロコシデンプン、ジャガイモデンプン、タピオカデンプン、およびアルファ化デンプン；粘土；アライン（ａｌｉｇｎ）；ならびにその混合物が挙げられるが、これらに限定されない。本明細書において提供される医薬組成物内の崩壊剤の量は、製剤の種類によって変化し、当業者にとって容易に識別可能である。本明細書において提供される医薬組成物は、約０．５重量％〜約１５重
量％、または約１重量％〜約５重量％の崩壊剤を含有し得る。
【０１３６】
適する滑沢剤として、ステアリン酸カルシウム；ステアリン酸マグネシウム；鉱油；軽油（ｌｉｇｈｔ  ｍｉｎｅｒａｌ  ｏｉｌ）；グリセリン；ソルビトール；マンニトール；グリコール、例えばベヘン酸グリセリルおよびポリエチレングリコール（ＰＥＧ）；ステアリン酸；ラウリル硫酸ナトリウム；タルク；ピーナッツ油、綿実油、ヒマワリ油、ゴマ油、オリーブ油、トウモロコシ油、およびダイズ油を含む水添植物油；ステアリン酸亜鉛；オレイン酸エチル；ラウリン酸エチル；寒天；デンプン；リコポディウム（ｌｙｃｏｐｏｄｉｕｍ）；シリカまたはシリカゲル、例えばＡＥＲＯＳＩＬ（登録商標）２００（Ｗ．Ｒ．Ｇｒａｃｅ  Ｃｏ．、Ｂａｌｔｉｍｏｒｅ、ＭＤ）およびＣＡＢ−Ｏ−ＳＩＬ（登録商標）（Ｃａｂｏｔ  Ｃｏ．ｏｆ  Ｂｏｓｔｏｎ、ＭＡ）；ならびにその混合物が挙げられるが、これらに限定されない。本明細書において提供される医薬組成物は、約０．１重量％〜約５重量％の滑沢剤を含有し得る。
【０１３７】
適する流動促進剤として、コロイド状二酸化ケイ素、ＣＡＢ−Ｏ−ＳＩＬ（登録商標）（Ｃａｂｏｔ  Ｃｏ．ｏｆ  Ｂｏｓｔｏｎ、ＭＡ）、およびアスベストを含まないタルクが挙げられる。着色剤として、任意の承認済みの認可された水溶性ＦＤ＆Ｃ色素、およびアルミナ水和物に懸濁した水不溶性ＦＤ＆Ｃ色素、およびレーキ顔料、ならびにその混合物が挙げられる。レーキ顔料は、水溶性色素を重金属の水和酸化物に吸着させた組合せであり、その結果、不溶性形態の色素が生ずる。矯味矯臭剤として、植物、例えば果物から抽出される天然の着香剤、および口当たりのよい味覚を生じる化合物、例えばペパーミントおよびサルチル酸メチルの合成ブレンドが挙げられる。甘味料として、スクロース、ラクトース、マンニトール、シロップ、グリセリン、および人工甘味料、例えばサッカリンおよびアスパルテームが挙げられる。適する乳化剤として、ゼラチン、アカシア、トラガント、ベントナイト、および界面活性剤、例えばポリオキシエチレンソルビタンモノオレエート（ＴＷＥＥＮ（登録商標）２０）、ポリオキシエチレンソルビタンモノオレエート８０（ＴＷＥＥＮ（登録商標）８０）、およびトリエタノールアミンオレエートが挙げられる。懸濁化剤および分散剤として、カルボキシメチルセルロースナトリウム、ペクチン、トラガント、ビーガム、アカシア、カルボキシメチルセルロースナトリウム、ヒドロキシプロピルメチルセルロース、およびポリビニルピロリドンが挙げられる。防腐剤として、グリセリン、メチルおよびプロピルパラベン、安息香酸（ｂｅｎｚｏｉｃ  ａｄｄ）、安息香酸ナトリウム、ならびにアルコールが挙げられる。湿潤剤として、プロピレングリコールモノステアレート、ソルビタンモノオレエート、ジエチレングリコールモノラウレート、およびポリオキシエチレンラウリルエーテルが挙げられる。溶媒として、グリセリン、ソルビトール、エチルアルコール、およびシロップが挙げられる。エマルジョンで利用される非水性液体の例としては、鉱油および綿実油が挙げられる。有機酸として、クエン酸および酒石酸が挙げられる。二酸化炭素供給源としては、重炭酸ナトリウムおよび炭酸ナトリウムが挙げられる。
【０１３８】
多くの担体および賦形剤が、同一の製剤内であっても、いくつかの機能を担い得ると理解すべきである。
【０１３９】
さらなる実施形態では、本明細書において提供される医薬組成物は、圧縮錠剤、すりこみ錠剤、咀嚼可能なロゼンジ、速溶性錠剤、多重圧縮錠剤、または腸溶性コーティング錠剤、糖コーティングもしくはフィルムコーティングされた錠剤として提供され得る。腸溶性コーティング錠剤は、胃酸の作用に耐性であるが、腸内で溶解または崩壊し、したがって胃の酸性環境から有効成分を保護する物質でコーティングされた圧縮錠剤である。腸溶性コーティングとして、脂肪酸、脂肪、フェニルサリチレート、ワックス、シェラック、アンモニア含有シェラック、およびセルロースアセテートフタレートが挙げられるが、これらに限定されない。糖コーティング錠剤は、不快な味または臭気を隠蔽し、錠剤を酸化から保護する上で有益であり得る糖コーティングで囲まれた圧縮錠剤である。フィルムコーティング錠剤は、水溶性物質の薄層またはフィルムで覆われた圧縮錠剤である。フィルムコーティングとして、ヒドロキシエチルセルロース、カルボキシメチルセルロースナトリウム、ポリエチレングリコール４０００、およびセルロースアセテートフタレートが挙げられるが、これらに限定されない。フィルムコーティングは、糖コーティングと同じ一般的特徴を付与する。多重圧縮錠剤は、２以上の圧縮サイクルにより作製される圧縮錠剤であり、層状化錠剤、およびプレスコーティング錠剤または乾燥コーティング錠剤が含まれる。
【０１４０】
錠剤剤形は、粉末形態、結晶形態、または顆粒形態の有効成分を単独で、あるいは有効成分を結合剤、崩壊剤、制御放出型ポリマー、滑沢剤、希釈剤または着色料を含む、本明細書に記載されている１つもしくは複数の担体または賦形剤と組み合わせて調製され得る。矯味矯臭剤および甘味料は、咀嚼可能な錠剤およびロゼンジを形成する上で特に有用である。
【０１４１】
本明細書で提供される医薬組成物は、ゼラチン、メチルセルロース、デンプン、またはアルギン酸カルシウムから作製可能な軟質カプセル剤または硬質カプセル剤として提供され得る。硬質ゼラチンカプセルは、乾燥充填カプセル（ＤＦＣ）としても知られており、一方が他方の上をスライドする２つのセクションから構成され、したがって有効成分を完全に封入する。軟質弾性カプセル（ＳＥＣ）は、柔らかく球形のシェル、例えばゼラチンシェルであり、グリセリン、ソルビトール、または類似するポリオールの添加により可塑化される。軟質ゼラチンシェルは、微生物の増殖を防止する防腐剤を含有してよい。適する防腐剤は、メチルおよびプロピルパラベン、ならびにソルビン酸を含む、本明細書に記載されているような防腐剤である。本明細書において提供される液体、半固体、および固体剤形は、カプセル内に被包され得る。適する液体および半固体剤形として、プロピレンカーボネート、植物油、またはトリグリセリドにおける液剤および懸濁剤が挙げられる。そのような液剤を含有するカプセル剤は、米国特許第４，３２８，２４５号、同第４，４０９，２３９号、および同第４，４１０，５４５号の記載に従い調製可能である。カプセル剤は、有効成分の溶解を改変または維持するために、当業者に公知であるようにコーティングすることも可能である。
【０１４２】
他の実施形態では、本明細書において提供される医薬組成物は、エマルジョン、液剤、懸濁剤、エリキシル剤、およびシロップ剤を含む、液体および半固体の剤形で提供され得る。エマルジョンは、一方の液体が他方の液体全体にわたり、小球体の形態で分散している二相系であり、水中油型または油中水型であり得る。エマルジョンは、薬学的に許容される非水性液体または溶媒、乳化剤、および防腐剤を含み得る。懸濁剤は、薬学的に許容される懸濁化剤および防腐剤を含み得る。アルコール水溶液は、薬学的に許容されるアセタール、例えば低級アルキルアルデヒド（用語「低級」とは、１から６個の間の炭素原子を有するアルキルを意味する）のジ（低級アルキル）アセタール、例えば、アセトアルデヒドジエチルアセタール；および１つまたは複数のヒドロキシル基、例えばプロピレングリコールおよびエタノールを有する水混和性溶媒を含み得る。エリキシル剤は、甘くされた透明な含水アルコール溶液である。シロップ剤は、糖、例えば、スクロースの濃縮水溶液であり、防腐剤を含有してもよい。液体剤形の場合、例えば、ポリエチレングリコールの溶液は、投与のための測定に便利なように、十分な量の薬学的に許容される液体担体、例えば、水で希釈され得る。
【０１４３】
他の有用な液体および半固体の剤形として、本明細書において提供される有効成分（複数可）、および１，２−ジメトキシメタン、ジグリム、トリグリム、テトラグリム、ポリエチレングリコール−３５０−ジメチルエーテル、ポリエチレングリコール−５５０−ジメチルエーテル、ポリエチレングリコール−７５０−ジメチルエーテルを含み、３５０、５５０、および７５０がポリエチレングリコールのおよその平均分子量を表す、ジアルキル化されたモノ−またはポリ−アルキレングリコールを含有する剤形が挙げられるが、これらに限定されない。これらの製剤は、１つまたは複数の酸化防止剤、例えばブチル化ヒドロキシトルエン（ＢＨＴ）、ブチル化ヒドロキシアニソール（ＢＨＡ）、没食子酸プロピル、ビタミンＥ、ヒドロキノン、ヒドロキシクマリン、エタノールアミン、レシチン、セファリン、アスコルビン酸、リンゴ酸、ソルビトール、リン酸、亜硫酸水素塩、メタ亜硫酸水素ナトリウム、チオジプロピオン酸、およびそのエステル、ならびにジチオカーバメートをさらに含み得る。
【０１４４】
経口投与のために本明細書において提供される医薬組成物は、リポソーム、ミセル、ミクロスフェア、またはナノシステムの形態でも提供され得る。ミセル型の剤形は、米国特許第６，３５０，４５８号の記載に従い調製可能である。
【０１４５】
他の実施形態では、本明細書において提供される医薬組成物は、液体剤形に再構成される非発泡性または発泡性の顆粒および粉末として提供され得る。非発泡性顆粒または粉末で使用される薬学的に許容される担体および賦形剤は、希釈剤、甘味料、および湿潤剤を含み得る。発泡性の顆粒または粉末において使用される薬学的に許容される担体および賦形剤は、有機酸および二酸化炭素供給源を含み得る。
【０１４６】
着色剤および矯味矯臭剤は、上記剤形のいずれにおいても使用することができる。
【０１４７】
本明細書において提供される医薬組成物は、遅延式、持続式、パルス式、制御式、標的化式、およびプログラム式の放出形態を含む、即時型または改変型の放出剤形として製剤化され得る。
【０１４８】
さらなる実施形態では、本明細書において提供される医薬組成物は、所望の治療作用を損なわない他の有効成分、または所望の作用を補完する物質と共に製剤化され得る。
【０１４９】
本明細書で引用されたすべての刊行物および特許文書は、そのような刊行物または文書のそれぞれが、参照により本明細書に組み込まれることを、具体的かつ個別に明示されたかのように、参照により本明細書に組み込まれる。刊行物および特許文書の引用は、そのいずれかが関連する先行技術であるとの承認を意図するものではなく、刊行物および特許文書の内容または日付に対する何らかの承認にも該当しない。本開示は、書面による明細としてここに記載されているが、本開示は、様々な実施形態で実践可能であること、ならびに上記説明および下記の実施例は説明を目的としたものであり、下記の特許請求の範囲の限定でもないものと、当業者は認識する。
【実施例】
【０１５０】
（実施例１）
エンチノスタットによる骨髄由来のサプレッサー細胞の調節
血液試料を、ＥＮＣＯＲＥ３０１臨床トライアルに登録した一連の患者４９例から取得したが、そのすべての患者は、進行性のホルモン受容体陽性乳がんを有し、非ステロイド系アロマターゼ阻害剤を投与しても進行した。患者２７例が、エキセメスタンおよびエンチノスタット（「ＥＥ」）を受け、２２例が、エキセメスタンおよびプラセボ（「ＥＰ」）を受けた。血液試料を、サイクル１の第１日目（Ｃ１Ｄ１；治療前）、Ｃ１Ｄ２、Ｃ１Ｄ８、およびＣ１Ｄ１５に、バイオマーカー分析用として取得した。これらの患者試料のうち、３４例（ＥＥの２０例およびＥＰの１４例）を、循環性免疫サブセットについて分析した。細胞集団は、下記の表面マーカーに基づき、その場合、「Ｘ−」とはマーカーＸについて陰性を意味し、「Ｘ＋」とはマーカーＸについて陽性を意味し、「Ｘｌｏｗ／−」とはマーカーＸが低レベルであることまたはその不存在を意味し、および「Ｘｈｉ」とはマーカーＸの高レベル発現を意味する：
【０１５１】
骨髄由来のサプレッサー細胞：ＣＤ３−、ＣＤ１９−、ＣＤ５６−、ＨＬＡ−ＤＲ−、ＣＤ１１ｂ＋、ＣＤ３３＋。
【０１５２】
ＰＭＮ−ＭＤＳＣ：ＣＤ１４−、ＣＤ１１ｂ＋、ＣＤ３３＋。
【０１５３】
Ｍ−ＭＤＳＣ：ＣＤ３−、ＣＤ１９−、ＣＤ５６−、ＨＬＡ−ＤＲ−、ＣＤ１１ｂ＋、ＣＤ３３＋、ＣＤ１４＋。
【０１５４】
未成熟のＭＤＳＣ：ＣＤ３−、ＣＤ１９−、ＣＤ５６−、ＨＬＡ−ＤＲ−、ＣＤ１１ｂ＋、ＣＤ３３＋、ＣＤ１４−。
【０１５５】
ＣＤ８＋Ｔ細胞：ＣＤ４−、ＣＤ８＋、Ｆｏｘｐ３−。
【０１５６】
ＣＤ４＋Ｔ細胞：ＣＤ８−、ＣＤ４＋、Ｆｏｘｐ３−。
【０１５７】
Ｔｒｅｇ：ＣＤ４＋、ＣＤ８−、ＣＤ２５ｈｉ、Ｆｏｘｐ３＋。
【０１５８】
３集団について単球を分析した：（１）ＣＤ１４＋；（２）ＣＤ１４＋、ＨＬＡ−ＤＲｈｉ；および（３）ＣＤ１４＋、ＨＬＡ−ＤＲｌｏｗ／−。ＰＤ−１、ＣＴＬＡ−４、およびＴＩＭ−３を、ＣＤ８＋Ｔ細胞、ＣＤ４＋Ｔ細胞、およびＴｒｅｇ上で測定し、ＣＤ４０を骨髄由来のサプレッサー細胞上で測定した。
【０１５９】
すべての比較を、Ｃ１Ｄ１の時点とＣ１Ｄ１５の時点との間で、ＥＥおよびＥＰ処置群において実施した。ＰＭＮ−ＭＤＳＣの場合、ＥＥ処置は、−１４．６７％の変化を引き起こした一方、ＥＰ処置は、＋２０．５６％の変化を引き起こした。Ｍ−ＭＤＳＣの場合、ＥＥ処置は−６２．３％の変化を引き起こした一方、ＥＰ処置は＋１．９７％の変化を引き起こした。未成熟のＭＤＳＣの場合、ＥＥ処置は、−２０．９％の変化を引き起こした一方、ＥＰ処置は、−１５．０％の変化を引き起こした。骨髄由来のサプレッサー細胞、Ｍ−ＭＤＳＣ、ＰＭＮ−ＭＤＳＣ、および未成熟の骨髄由来のサプレッサー細胞では、ＣＤ４０のレベルは、ＥＰ処置群と比較して、ＥＥ処置群において低下した。ＨＬＡ−ＤＲ＋単球の場合、ＥＥ処置は、＋３４．１％の変化を引き起こした一方、ＥＰ処置は、−１１．３８％の変化を引き起こした。単球上では、ＨＬＡ−ＤＲのレベルは、ＥＥ処置群において＋１６．３％、およびＥＰ処置群では−４．７％であった。
【０１６０】
（実施例２）
エンチノスタット併用療法によるＣＤ１４＋−ＨＬＡ−ＤＲ（ｌｏ／陰性）骨髄由来のサプレッサー細胞の調節
クラスＩのＨＤＡＣ阻害剤（ＨＤＡＣｉ）であるエンチノスタットは、非ステロイド系アロマターゼ阻害剤を投与しても進行した進行性のホルモン受容体陽性乳がんを対象として、エンチノスタット＋エキセメスタン（「ＥＥ」）とエキセメスタン＋プラセボ（「ＥＰ」）とを比較するＥＮＣＯＲＥ３０１、ランダム化、プラセボ対照、第ＩＩ相トライアルにおいて有望な活性を示した。ＥＮＣＯＲＥ３０１は、一次無増悪生存率エンドポイントを満たし、ＥＥ群について全生存（ＯＳ）エンドポイントにおいて８．３ヶ月の中央値の改善を示した。これらの結果に基づき、エンチノスタットには、画期的治療薬指定が認可され、そしてＥＰに対してＥＥを比較する第ＩＩＩ相トライアル、Ｅ２１１２が現在登録中である。新規の前臨床研究から、エンチノスタットは調節性Ｔ細胞（Ｔｒｅｇ）および骨髄由来のサプレッサー細胞（ＭＤＳＣ）を含む免疫サプレッサー細胞に対して免疫調節効果を有し、免疫チェックポイント遮断剤と組み合わせて、免疫原性マウス腫瘍をある程度消滅可能であることが示唆される。この活性は、ＭＳＤＣの低下により媒介されることが明らかにされた（Kimら、PNAS、２０１４年、１１１巻：１１７７４〜９頁）。これらの結果は、そのようなクラス１のＨＤＡＣ酵素であるエンチノスタットの選択的標的により説明され得るが、同酵素は、Ｔｒｅｇの分化および活性化において役割を演じていることが明らかにさている（Shenら、PLoS  One、２０１２年、７巻：ｅ３０８１５；Wangら、JCI、２０１５年、１２５巻：１１１１〜１１２３頁）、およびＭＤＳＣ（Younら、Nat.  Immunol、２０１３年、１４巻：２１１〜２２０頁）。
【０１６１】
これらのデータに基づき、ＥＮＣＯＲＥ３０１の乳がん患者から得た血液試料中の免疫サブセットについて、分析を実施した。
【０１６２】
ＥＮＣＯＲＥ３０１に登録した患者１３０例を代表する患者４９例のサブセット（ＥＥの２７例およびＥＰの２２例）から、サイクル１の第１日目（Ｃ１Ｄ１；治療前）、Ｃ１Ｄ２、Ｃ１Ｄ８、およびＣ１Ｄ１５に、バイオマーカー分析用として血液を収集した。これら４９例のうち、患者３４例（ＥＥの２０例およびＥＰの１４例）から得たＣ１Ｄ１およびＣ１Ｄ１５の試料が、循環性免疫サブセットのさらなる分析用として利用可能であった。無増悪生存率（ＰＦＳ）に関する臨床転帰が、患者３４例において、ＥＥ（エンチノスタット＋エキセメスタン）の患者について４．９ヶ月、（エキセメスタン＋プラセボ）について１．８ヶ月、そのハザード比（ＨＲ）は０．６２ヶ月であることが判明し、全生存（ＯＳ）は、ＥＥについて２８．１ヶ月、ＥＰについて２０．３ヶ月、そのＨＲは０．６２ヶ月であることが判明し、ならびにベースライン時の人口統計学は包括解析母集団と一致した。
【０１６３】
Ｃ１Ｄ１５とベースラインにおけるサブセットの百分率変化を、下記の表面マーカーに基づき評価した：Ｌｉｎ−ＭＤＳＣ（ｌｉｎ；ＣＤ３、ＣＤ１９、ＣＤ５６）−ＨＬＡ−ＤＲ−ＣＤ１１ｂ＋ＣＤ３３＋）、顆粒球ＭＤＳＣ（ＣＤ１４−ＣＤ１１ｂ＋ＣＤ３３＋）、単球のＭＤＳＣ（Ｌｉｎ−ＨＬＡ−ＤＲ−ＣＤ１１ｂ＋ＣＤ３３＋ＣＤ１４＋）、未成熟のＭＤＳＣ（Ｌｉｎ−ＨＬＡ−ＤＲ−ＣＤ１１ｂ＋ＣＤ３３＋ＣＤ１４−）、ＣＤ８＋Ｔ細胞（ＣＤ４−ＣＤ８＋）、Ｆｏｘｐ３−ＣＤ４＋Ｔ細胞（ＣＤ８−ＣＤ４＋Ｆｏｘｐ３−）、およびＴｒｅｇ（ＣＤ４＋ＣＤ８−ＣＤ２５ｈｉＦｏｘｐ３＋）。単球を３集団：ＣＤ１４＋、ＣＤ１４＋ＨＬＡ−ＤＲｈｉ、およびＣＤ１４＋ＨＬＡ−ＤＲ−低い／陰性について分析した。さらに、ＰＤ−１、ＣＴＬＡ−４、およびＴＩＭ−３をＴ細胞サブセット上で測定し、ＣＤ４０をＭＤＳＣ上で測定した。
【０１６４】
前臨床データと整合して、顆粒球ＭＤＳＣ（−１４．６７％と＋２０．５６％、Ｐ＝０．０３）、および単球ＭＤＳＣ（−６２．３％と＋１．９７％、Ｐ＝０．００２）の低下がＥＥに認められた。興味深いことに、ＭＤＳＣ媒介型の免疫抑制に必要とされる共刺激受容体ＣＤ４０も、すべてのＭＤＳＣサブセットにおいて下方制御されていた。エンチノスタットは、ＣＤ８＋Ｔ細胞とＣＤ４＋Ｔ細胞との比に有意に影響を及ぼさなかった、またはＴ細胞サブセット上のＣＴＬＡ−４、ＰＤ−１、もしくはＴＩＭ−３の発現を変化させなかった。単球上のＨＬＡ−ＤＲの発現低下は、がんにおける不良な予後と関連した。エンチノスタット媒介型の免疫調節性効果と整合して、ＨＬＡ−ＤＲ＋単球の数（３４．１％と−１１．３８％、Ｐ＝０．０００４）、および単球上のＨＬＡ−ＤＲ発現のレベル（１６．３％と−４．７％；Ｐ＝０．０１５）の増加が認められた。Ｃ１Ｄ１５の免疫細胞変化とこの患者の部分集団における臨床転帰との間で、相関は識別されなかった。
【０１６５】
結果を、下記の表１に示す。
【０１６６】
【表１】
2018527570.tif 000005
【０１６７】
さらに、図１に認められるように、ＨＬＡ−ＤＲ＋単球の場合、ＥＥ処置は、＋３４．１％の変化を引き起こした一方、ＥＰ処置は、−１１．３８％の変化を引き起こした。単球上では、ＨＬＡ−ＤＲレベルは、ＥＥ処置群において＋１６．３％、およびＥＰ処置群において−４．７％であった。より多くのデータを図２〜５に示す。方法および結果は、Tomitaらの「The  interplay  of  epigenetic  therapy  and  immunity  in  locally  recurrent  or  metastatic  estrogen  receptor-positive  breast  cancer:  Correlative    analysis  of  ENCORE  301,  a  randomized,  placebo-controlled  phase  II  trial  of  exemestane  with  or  without  entinostat」、ONCOIMMUNOLOGY、Taylor  and  Francis  Online、２０１６年にも記載されており、その全内容は、本明細書によりそのまま参照により組み込まれる。
【０１６８】
まとめとして、ＥＮＣＯＲＥ３０１において、エキセメスタンと組み合わせたエンチノスタットで処置されたＥＲ＋乳がん患者から得られた血液試料に由来するデータは、患者における、免疫抑制ＭＤＳＣのＨＤＡＣｉ媒介型の低下、および免疫担当ＣＤ１４＋ＨＬＡ−ＤＲＨＩ単球の増加に関する第１のエビデンスをもたらした。これらの所見は、ＥＮＣＯＲＥ３０１のＥＥで認められたＯＳの改善を一部説明し、エンチノスタットと免疫チェックポイント遮断薬との組合せ試験計画に対する強力な根拠を提供し得る。
【０１６９】
エンチノスタットで処置された患者におけるＭＤＳＣの低下は、ＭＤＳＣの低下を通じて、免疫チェックポイント阻害剤の抗腫瘍活性を増強するエンチノスタットの能力を実証する、最近公表された前臨床研究（Kimら、PNAS、２０１４年）と整合する。組合せの安全性および臨床的有用性を明確にするために、ＮＳＣＬＣおよびメラノーマを対象として、ペンブロリズマブと組み合わせたエンチノスタットの第Ｉ相ｂ／ＩＩ相トライアルが開始されている。
【０１７０】
ＴＮＢＣを対象として、アテゾリズマブと組み合わせたエンチノスタットの第Ｉ相ｂ／ＩＩ相トライアルが計画されている。
【０１７１】
さらなる前臨床および臨床試験が、エンチノスタットの免疫調節活性をさらに探索するために進行中である。
（実施例３）
エキセメスタンとのエンチノスタット併用療法のための患者選択
【０１７２】
エキセメスタンと組み合わせたエンチノスタットによる処置を目的として患者を選択するために、末梢血液試料を患者から採取する。患者は、転移性のホルモン受容体陽性乳がんを有すると診断された閉経後の女性であって、非ステロイド系アロマターゼ阻害剤による治療期間中に進行した女性である。末梢血液試料５ミリリットル（ｍＬ）をＥＤＴＡ採血チューブに採取し、それを氷上で急速に冷却する。血液試料を、コニカルチューブに移し、そして赤血球溶解バッファー１５ｍＬで稀釈し、そして室温で１０分間インキュベートする。赤血球の溶解物を、リン酸緩衝化生理食塩水（ＰＢＳ）３０ｍＬで稀釈することによりクエンチする。細胞懸濁物を、４００×ｇ、４℃で５分間遠心分離し、そして上清を廃棄する。ペレットをＰＢＳ、５ｍＬ中で再懸濁し、そして新しいコニカルチューブに移す。再懸濁した試料を、フィコール（登録商標）５ｍＬで沈降させる。細胞を、遠心機のブレーキをかけずに４００×ｇで２０分間遠心分離する。ＰＢＳとフィコール（登録商標）層との界面で有核細胞を採取して新品のコニカルチューブに入れる。
【０１７３】
オリジナルの血液採取量と等しい容積を、新品のコニカルチューブ内のペレットに添加して細胞を洗浄する。細胞懸濁物を、４００×ｇ、４℃で５分間遠心分離し、そして上清を廃棄する。細胞を、オリジナルの血液採取量と等しい容積の、１％ウシ血清アルブミンおよび０．５％ＥＤＴＡ（染色バッファー）を含むＰＢＳ中で再懸濁する。生存細胞を次に血球計算機を使用して計測する。細胞懸濁物を４００×ｇ、４℃で５分間遠心分離し、上清を廃棄し、そして細胞を染色バッファー中で、１ｍＬ当たり細胞約１０７個の細胞濃度に再懸濁し、そして一定分量１ｍＬを、新しいチューブに移す。
【０１７４】
第１の試験では、下記の抗体を再懸濁した細胞に添加する：ＦＩＴＣ結合抗ＣＤ１１ｂ；ＰＥ結合抗ＣＤ３３；ＰｅｒＣＰ−Ｃｙ（商標）５．５結合抗ＣＤ１４；ならびにＡＰＣ結合抗ＣＤ３、抗ＣＤ１９、抗ＣＤ５６、および抗ＨＬＡ−ＤＲ。第２の試験では、下記の抗体を再懸濁した細胞に添加する：ＦＩＴＣ結合抗ＣＤ１４；ＰＥ結合抗ＨＬＡ−ＤＲ；ならびにＡＰＣ結合抗ＣＤ３、抗ＣＤ１９、および抗ＣＤ５６。第３の試験では、下記の抗体を再懸濁した細胞に添加する：ＦＩＴＣ結合抗ＣＤ１４およびＰＥ結合抗ＨＬＡ−ＤＲ。対照試料は、未染色細胞および蛍光色素抗体の各セットのうちの１つが除去された染色細胞を含む。細胞を遮光して露光を最低限に抑え、そして室温で２０分間放置する。４００×ｇ、４℃で５分間遠心分離することにより、染色した細胞を染色バッファー中で２回洗浄し、上清を廃棄し、そして同容積の染色バッファー中に再懸濁する。染色した細胞を、次にフローサイトメーターで使用するためにポリプロピレンチューブに移す。
【０１７５】
チューブ毎にフローサイトメトリーデータ取得を自動で行うＣｙｔｏｍｉｃｓ  ＦＣ５００フローサイトメーター上で、フローサイトメトリーを実施する。自動測定を行った後、バックグラウンド蛍光（未染色試料を使用）および蛍光色素補償（個別に除去された蛍光色素試料を使用）の両方について、試料を補正する。第１の試験では、次に、抗体−細胞複合体を、ＣＤ１１ｂ、ＣＤ３３陽性、およびＣＤ３、ＣＤ１９、ＣＤ５６、ＨＬＡ−ＤＲ陰性により同定される骨髄由来のサプレッサー細胞、ならびにＣＤ３、ＣＤ１４、ＣＤ１９、ＣＤ５６、ＨＬＡ−ＤＲ陽性、およびＣＤ１１ｂ、ＣＤ３３陰性により同定される末梢血液単核細胞について計測した。抗体−細胞複合体に関するこれらの数値が、骨髄由来のサプレッサー細胞と末梢血液単核細胞との比を計算するために使用される。この療法では、患者が１：１００から１：１の間の比を有する場合、骨髄由来のサプレッサー細胞数増加の存在を示唆し、患者はエンチノスタットとエキセメスタンとを用いた併用療法のために選択される。第２の試験では、ＣＤ１４陽性かつＨＬＡ−ＤＲ−ｌｏ／陰性細胞が、ＣＤ１４陽性、ＨＬＡ−ＤＲの低発現または陰性、ならびにＣＤ３、ＣＤ１９、およびＣＤ５６陰性により同定される。末梢血液単核細胞は、ＣＤ３、ＣＤ１９、ＣＤ５６、およびＨＬＡ−ＤＲ陽性により同定される。これらの数値が、ＣＤ１４陽性かつＨＬＡ−ＤＲ−ｌｏ／陰性細胞と末梢血液単核細胞との比を計算するために使用される。この療法では、患者が１：２００から１：１の間の比を有する場合、ＣＤ１４陽性かつＨＬＡ−ＤＲ−ｌｏ／陰性細胞数増加の存在を示唆し、患者はエンチノスタットとエキセメスタンとを用いた併用療法のために選択される。第３の試験では、ＣＤ１４陽性かつＨＬＡ−ＤＲ−ｌｏ／陰性細胞が、ＣＤ１４陽性、およびＨＬＡ−ＤＲの低発現または陰性により同定される。ＣＤ１４陽性細胞は、ＨＬＡ−ＤＲ発現とは独立してＣＤ１４陽性により同定される。これらの数値は、ＣＤ１４陽性かつＨＬＡ−ＤＲ−ｌｏ／陰性細胞とＣＤ１４陽性細胞との比を計算するために使用される。この療法では、患者が１：１００から９９：１の間の比を有する場合、ＣＤ１４陽性かつＨＬＡ−ＤＲ−ｌｏ／陰性細胞数増加の存在を示唆し、患者はエンチノスタットとエキセメスタンとを用いた併用療法のために選択される。
【０１７６】
本発明は、その詳細な説明と共に記載されてきたが、上記説明は、本発明を説明するように意図されており、添付の特許請求の範囲により定義される本発明の範囲を限定する意図を有さない。その他の態様、長所、および修正も、特許請求の範囲内である。
【図１】
2018527570.tif 000006
【図２Ａ】
2018527570.tif 000007
【図２Ｂ−Ｄ】
2018527570.tif 000008
【図３Ａ】
2018527570.tif 000009
【図３Ｂ−Ｃ】
2018527570.tif 000010
【図４Ａ−Ｂ】
2018527570.tif 000011
【図４Ｃ−Ｄ】
2018527570.tif 000012
【図５】
2018527570.tif 000013
【国際調査報告】
2018527570.tif 000014
2018527570.tif 000015
2018527570.tif 000016